(57)【特許請求の範囲】
【請求項１】
所定の面積を有し、合成樹脂からなる芯材にアルミニウム板を貼着してなるアルミニウム複合板からなる掲示板と、
前記掲示板の掲示面側の反対の裏面側に固着され、前記掲示板を補強する補強部と、
前記掲示板を特定の設置場所に設置するための取付手段と、
前記取付手段を前記掲示板の補強部に取付ける固定手段と
を具備する掲示板組立体であって、
前記取付手段は、
（Ｉ）地面に垂直に立設され、前記掲示板の前記補強部に取付けられて前記掲示板を所定の高さに支持する支持脚及び前記支持脚に対して斜めに取付けられて前記支持脚を支える傾斜脚との組み合わせ、
または、（II）地面に垂直に立設され、前記掲示板の補強部に取付けられて前記掲示板を所定の高さに支持する支持脚及び前記支持脚の長手方向に沿って前記掲示板より低い位置に取付けられた固定具との組み合わせ、
または、（III）前記掲示板の補強部に取付けられ、長手方向の一端がフック状に形成されたフック部材
の３種類の形態の何れかの形態の択一化が可能で、
前記取付手段として前記支持脚及び傾斜脚の選択により、前記支持脚及び前記傾斜脚を地面に立設して前記掲示板を自立させる形態、
または、前記取付手段として前記支持脚及び前記固定具の採用により、前記支持脚を地面に立設し、また、前記支持脚及び前記固定具の間で取付対象を挟み、前記掲示板を前記取付対象に取付ける形態、
または、前記取付手段としてフック部材の採用により、前記フック部材を取付対象に引っ掛けて前記掲示板を前記取付け対象に取付ける形態
の何れか１つの形態を択一して設置され、前記固定具は略コ字状に形成された開口側の一端に前記支持脚に形成された挿通孔に挿通可能、かつ、前記支持脚に係止可能に形成されたＴ字状の係止部を有することを特徴とする掲示板組立体。
【請求項２】
前記掲示板を自立させる形態で採用される前記取付手段としての前記支持脚及び前記傾斜脚と、前記掲示板を前記取付対象に取付ける形態で採用される前記取付手段としての前記支持脚は、同一部品が使用されることを特徴とする請求項１に記載の掲示板組立体。
【請求項３】
前記合成樹脂からなる芯材にアルミニウム板を貼着してなるアルミニウム複合板からなる掲示板は、更に、アルミニウム板に粘着剤を介して樹脂製フィルムが貼着されてなり、前記アルミニウム板に対して前記樹脂製フィルムを引き剥がすＪＩＳ−Ｚ−０２３７に準拠して測定した１８０℃引き剥がし試験における剥離強度が１００〜１４０ｇ／２５ｍｍの範囲内であることを特徴とする請求項１または請求項２に記載の掲示板組立体。
【発明の詳細な説明】
【技術分野】
【０００１】
本発明は、公職選挙に使用される立候補者ポスターや広告等のその他の掲示物、看板等を掲示するための掲示板組立体に関するもので、特に、設置自由度を高めることができる掲示板組立体に関するものである。
【背景技術】
【０００２】
公職選挙用のポスター掲示板については、従来、ポスターが貼られるベニヤ等の薄板及び柱角材等の材木を用いて製作され、選挙終了後は廃棄処分されていた。そこで、環境保全等の観点から繰り返しの使用を可能とする特許文献１や特許文献２の選挙用ポスター掲示板が提案されている。
【０００３】
掲示板を設営する手法として、特許文献１では、掲示板に固着された固定部材に取付ボルトを介して柱材を取付け、かかる柱材を地面に差し込むことにより地上に設営する手法や、掲示板に固着された固定部材に取付ボルトを介してフック材を取付け、かかるフック材をフェンス等の上端に引っ掛けることにフェンス等に固定する手法が開示されている。  また、特許文献２では、掲示板に固着された固定部材に取付ボルトを介して抱持金具を取付け、取付対象のポールを抱持して固定する手法が開示されている。
【先行技術文献】
【特許文献】
【０００４】
【特許文献１】実用新案第３０９０５９９号公報
【特許文献２】実用新案第３０３３８０６号公報
【発明の概要】
【発明が解決しようとする課題】
【０００５】
しかしながら、特許文献１と特許文献２の発明によれば、柱材を地中に埋め込む方法では広い設置面積を有する場所、またはフック材の引っ掛けによる方法では、フェンス等の所定の高さに設置されて所定の厚みを有するもの、抱持金具による取付けではポール等の所定間隔で支柱や縦框を有する取付対象への固定に限定される。したがって、車両用防護柵といった低い高さで設置され、凹凸状の面を有し厚みの薄い板体を有するガードレールや横框で面が形成されるガードパイプ等に対しては、針金や番線に頼って固定しているのが実情であり、その固定強度は作業者の裁量、力量によるところも大きく、また、悪戯等によって結束が切断される恐れもあり、極めて不安定な固定であった。また、その不安定さから、それら取付対象への取付けは小さな面積を有する軽い掲示板での固定に限定され、大きな面積の重い掲示板の固定には不向きであった。
特に、掲示板を供給する業者（メーカー）側にしてみれば、取付対象を特定して部品の供給販売が行われるのではなく、市町村での採用（入札）により業者に対して取引きが行われることから、広範囲な取付対象への安定的な固定に対応可能な供給は採用に有利となる。
【０００６】
そこで、本発明は、設置自由度を高め、広範囲な設置場所、取付対象に対して安定した固定が可能な掲示板組立体の提供を課題とするものである。
【課題を解決するための手段】
【０００７】
請求項１の発明の掲示板組立体は、ポスター等が貼着される掲示板を設置場所に設置するための取付手段として、（Ｉ）前記掲示板の補強部を介して固定手段により取付けられて前記掲示板を所定の高さに支持する支持脚と、及び前記支持脚を斜めに支える傾斜脚との組み合わせ、または（II）前記掲示板に補強部を介して固定手段により取付けられて前記掲示板を所定の高さに支持する支持脚と略コ字状に形成され、その開口両端側が前記支持脚の長手方向に沿って取付けられる固定具との組み合わせ、または（III）前記掲示板に補強部を介して固定手段により取付けられ一端がフック状に形成されたフック部材の３種類の形態を取り得る。また、前記取付手段としての前記掲示板を支持する支持脚及びそれを斜めに支える傾斜脚を地面に埋め込んで掲示板を立設する形態、または、前記取付手段としての前記掲示板を支持する支持脚を地面に立設し、また、支持脚とそれに取付けられる固定具との間で取付対象を挟み込みこんで前記掲示板を前記取付対象に取付ける形態、または、前記取付手段として前記掲示板に取付けられるフック部材を取付対象に引っ掛けて前記掲示板を前記取付対象に取付ける形態の何れかの形態で設置されるものである。
【０００８】
上記補強部は、前記掲示板の掲示側とは反対側の裏側に固着され、前記取付手段を前記掲示板に固定するための固定手段を保持するものであり、固定手段との係合により保持するものであってもよいし、捩子等の適当な取付部材を介して保持するものであってもよい。例えば、前記掲示板に取付手段を取付けるための固定手段としてボルト・ナット等の締結手段を使用する場合には、一対の対向する断面Ｌ字状部材及びその断面Ｌ字状部材によって内方に形成される凹部によってボルトを保持することができる。好ましくは、ボルトの保持を行う断面略Ｌ字状部材及び断面略凹部が連続して延びるレール状に形成して、ボルトを摺動自在に保持するものである。
上記掲示板に取付手段を取付けるための固定手段としては、ボルト・ナットの他に、クランプ等の挟持金具等が挙げられる。
【０００９】
上記取付手段として支持脚及び傾斜脚の組み合わせは、前記掲示板を支持する前記支持脚及びそれに対して斜めに支えを施す断面略傾斜脚を地面に埋め込んで掲示板を地面に自立で起立させるものである。
上記傾斜脚と組み合わされる支持脚は、地面に垂直に立設されて、掲示板を所定の高さに支持するものである。安定した自立のために前記支持脚は、一部品で構成してその先端を尖軸状に形成することにより地面への埋め込みを行ってもよいし、別部品の杭状の棒材を取付けてかかる杭状の棒材の打ち込みを介して地面への埋め込みが行われてもよい。
また、上記支持脚と組み合わされる傾斜脚は、地面に垂直に立設される前記支持脚に対して斜めに取付けられて地面に斜めに立設して前記支持脚を斜めから支えるものである。安定した自立のために傾斜脚は、一部品で構成してその先端を尖軸状に形成することにより地面への埋め込み行ってもよいし、別部品の杭状の棒材を取付けてかかる杭状の棒材の打ち込みを介して地面への埋め込みが行われてもよい。
【００１０】
また、上記取付手段として支持脚及び固定具の組み合わせは、前記掲示板を支持する前記支持脚とその長手方向に沿って両端部が取付けられる略コ字状のサドル形状に形成された固定具との間で取付対象を挟み込んで掲示板の補強部を取付対象に取付けるものである。
上記固定具と組み合わされる前記支持脚は、地面に垂直に立設されて、掲示板を所定の高さに支持するものである。
また、上記支持脚と組み合わされる固定具は、断面略コ字状または断面略Ｕ字状といった折曲形状の断面凹状に形成され、断面略コ字または断面略Ｕ字の開口両端側が掲示板より低い位置で前記支持脚の長手方向に沿って取付けられて、その移動が規制されるものである。
【００１１】
ここで、前記支持脚及び前記固定具の組み合わせで掲示板の補強部を取付ける取付対象としては、ガードパイプ等の水平方向に延びるパイプ状の横框や、ガードレール等の水平方向に延びる凹凸状の表裏面を有し、所定の縦幅（上下方向）に形成された板体等が挙げられる。
そして、前記支持脚と前記固定具によって取付対象としてのガードパイプ等の水平方向に延びる横框やガードレール等の水平方向に延びる板体に対して、その直交方向（板体の厚み方向、横框の径方向）で取付対象を挟み、前記支持脚に前記固定具を取付けて取付対象の縦の上下側を閉じることで、前記掲示板の移動を規制して取付対象に固定する。
【００１２】
更に、前記取付手段としてのフック部材は、その長さ方向の一端が略Ｌ字状、略Ｕ字状、カタカナの略「レ」字状等に屈曲、湾曲したフック状に形成され、そのフック形状によって取付対象の上端部に引っ掛けて係止することによって前記掲示板の補強部を前記被取付体に取付けるものである。好ましくは、取付対象に応じてフック形状を選択可能に２種以上が用意される。
【００１３】
ここで、フック部材により掲示板を取付ける取付対象としては、所定の高さに設置されたブロックやレンガのような厚みを有する塀・壁や、金網状、垂直方向に延びる縦柵状、水平方向に延びる横柵状に形成された厚みの薄いフェンス等が挙げられる。
そして、前記フック部材によって取付対象としての塀・壁、フェンス等の上端部に引っ掛けて係止させることで、掲示板の移動を規制して取付対象に固定する。
【００１４】
加えて、この発明の掲示板組立体の前記固定具は、前記略コ字状に形成された開口側の一端に前記支持脚に形成された挿通孔に挿通可能、かつ、前記支持脚に係止可能に形成されたＴ字状の係止部を有し、前記係止部が前記支持脚に形成された挿通孔に挿通されて前記支持脚に係止されるものである。
【００１５】
請求項２の発明の掲示板組立体は、所定の寸法形状の１部品が、前記掲示板を地面に起立して立設する形態で採用される支持脚として、及び前記支持脚を斜めから支える傾斜脚として、及び前記取付対象を挟み込んで掲示板を取付対象に取付ける形態で採用される支持脚として、兼用されるものである。
【００１６】
請求項３の発明の掲示板組立体の前記合成樹脂からなる芯材にアルミニウム板を貼着してなるアルミニウム複合板からなる掲示板は、更に、粘着剤を使用して樹脂製フィルムをアルミニウム板に貼着してなり、前記アルミニウム複合板のアルミニウム板に貼着した樹脂製フィルムを引き剥がすＪＩＳ−Ｚ−０２３７に準拠して測定した１８０℃引き剥がし試験における剥離強度が１００〜１４０ｇ／２５ｍｍの範囲内である。
上記粘着剤の材質としては、例えば、アクリル系等が挙げられ、上記フィルムの材質としては、例えば、ポリエチレン系等が挙げられる。
【発明の効果】
【００１７】
請求項１の発明に係る掲示板組立構造体によれば、掲示板の掲示側とは反対側の裏側に固着された補強部に保持される固定手段で掲示板に取付けられ、掲示板を設置場所に設置するための取付手段として、（Ｉ）掲示板を所定の高さに支持する支持脚と支持脚に対して斜めに取付けられて支持脚を支える傾斜脚との組み合わせ、または、（II）掲示板を所定の高さに支持する支持脚と断面凹状に形成されてその開口両端部が支持脚の長手方向に沿って掲示板より低い位置で取付けられる固定具との組み合わせ、または、（III）掲示板に取付けられ長手方向の一端がフック状に形成されたフック部材の３種類の形態を選択可能である。
【００１８】
よって、（Ｉ）第一に支持脚と傾斜脚の組み合わせの採用により、掲示板に固定手段によって取付けた支持脚を地面に垂直に立設することで掲示板を所定の高さに支持し、また、支持脚に対して傾斜脚を斜めに取付けて地面に斜めに立設して支持脚を支える。そして、支持脚や傾斜脚を地中に埋めて固定することにより、掲示板を自立させる形態で設置される。
【００１９】
また、（II）第二に支持脚と固定具の組み合わせの採用により、掲示板の補強部に固定手段によって取付けた支持脚を地面に垂直に立設することで掲示板を所定の高さに支持し、また、支持脚に対して、取付対象としてのガードパイプ等の水平方向に延びる横框やガードレール等の水平方向に延びる板体を介在させて、断面凹状に形成されたその開口両端部を支持脚の長手方向に沿って取付け、支持脚と固定部の間で取付対象の水平方向に延びる横框や板体を挟みこむことにより、掲示板がガードパイプ等の水平方向に延びる横框やガードレール等の板体等に取付固定される形態で設置される。
【００２０】
更に、（III）第三に取付手段としてフック部材の採用により、掲示板に固定手段によって取付けたフック部材においてフック形状に形成された一端を取付対象としての塀・壁やフェンスの上端部の厚みに引っ掛けることで掲示板が塀・壁やフェンス等に取付固定される形態で設置される。
【００２１】
こうして、本発明の掲示板組立構造体によれば、地面に自立させる形態やフェンスや塀・壁等に引っ掛ける形態での取付けのみならず、ガードパイプ等の水平方向に延びるパイプ状の横框やガードレール等の水平方向に延びる凹凸状の表裏面を有し、所定の縦幅（上下方向）に形成された板体に対しても、掲示板を所定の高さに支持する支持脚と略コ字状に形成された開口両端側を前記支持脚の長手方向に沿って取付ける固定具との間で水平方向に延びる横框や板体を挟み込むことによって、安定的に取付固定することができる。特に、従来の番線等の使用ではその固定強度が作業者の裁量、力量に左右される不安定な固定であり、また、掲示板の大きさ、重量等によっては固定が不可能となることもあったが、本実施の形態においては、取付対象を支持脚と固定具の間で挟み込むことから、作業者の裁量、力量を問わず、また、掲示板の大きさ、重量等が大きくても、安定した取付固定ができる。更に、従来、取付固定が不可能であったガードレール等の板体に対しても支持脚と固定具との間で板体を挟み込んで支持脚により掲示板を所定の高さに支持した取付固定を可能とする。
よって、設置自由度が高く、広範囲な設置場所、取付対象に対して安定した取付固定が可能である。
【００２２】
また、前記掲示板を設置場所に設置するための取付手段を掲示板に固定する固定手段が、前記掲示板の掲示側とは反対側の裏側に固着された補強部に保持されることから、前記固定手段によって前記掲示板を損傷することなく取付手段を掲示板に取付けることができ、掲示板の再使用を可能とする。更に掲示板に補強部が固着されることで、掲示板全体の強度や剛性を高くする。
【００２３】
この発明に係る掲示板組立構造体によれば、略コ字状に形成された前記固定具は、一端に前記支持脚に形成された挿通孔に挿入可能、かつ、前記支持脚に係止可能に形成されたＴ字状の係止部を有するから、前記係止部を前記支持脚に形成された前記挿通孔に挿入し、前記支持脚に係止させるのみで前記固定具の一端を前記支持脚に取付けることができる。よって、請求項１に記載の効果に加えて、固定具を支持脚に取付けるときの部品数を少なくでき、また、取付作業を容易にできる。
【００２４】
請求項２の発明に係る掲示板組立構造体によれば、前記掲示板を自立させる形態で採用される前記取付手段としての支持脚及び傾斜脚と、前記掲示板を取付対象に取付ける形態で採用される前記取付手段としての支持脚は、全て同一寸法形状の１部品で兼用されることから、請求項１に記載の効果に加えて、製造が低コストで済み、安価な提供を可能とする。また、前記支持脚と前記傾斜脚の部品の区別がないことで、作業者の組立作業が分かりやすくなる。
【００２５】
請求項３の発明に係る掲示板組立構造体の前記合成樹脂からなる芯材にアルミニウム板を貼着してなるアルミニウム複合板からなる掲示板は、更に、発明者らの実験によれば、アルミニウム板から樹脂製フィルムを剥離するＪＩＳ−Ｚ−０２３７に準拠して測定した１８０℃引き剥がし試験における剥離強度が１００〜１４０ｇ／２５ｍｍの範囲内であり、請求項１乃至請求項３の何れか１つに記載の効果に加えて、適度な接着性を有して雨等の水分や紫外線、熱等に曝される条件下でも、フィルムの浮きや剥離が生じることのない一方で、使用後は道具や水分等を使用することなく手動で剥がすのが容易で剥離作業性が良く、アルミニウム板の再使用（リユース）を可能とする。
【図面の簡単な説明】
【００２６】
【図１】図１は本発明の実施の形態に係る掲示板組立構造体について、自立させて設置する場合の説明図で、かかる掲示板組立構造体を掲示側の表側から見たときの全体斜視図である。
【図２】図２は本発明の実施の形態に係る掲示板組立構造体について、自立させて設置する場合の説明図で、かかる掲示板組立構造体を掲示側とは反対側の裏側から見たときの全体斜視図で、（ａ）及び（ｂ）は、間隙の説明図である。
【図３】図３は本発明の実施の形態に係る掲示板組立構造体について、自立させて設置する場合の説明図で、かかる掲示板組立構造体を掲示側とは反対側の裏側から見たときの要部の分解斜視図である
【図４】図４は本発明の実施の形態に係る掲示板組立構造体について、掲示板への支持脚の取付状態を示す要部断面図である。
【図５】図５は本発明の実施の形態に係る掲示板組立構造体について、自立させて設置する場合の説明図で、かかる掲示板組立構造体を掲示側とは反対側の裏側から見たときの分解斜視図である。
【図６】図６は本発明の実施の形態に係る掲示板組立構造体について、ガードパイプの水平方向のパイプに取付けて設置する場合の説明図で、かかる掲示板組立構造体を掲示側の表側から見たときの全体斜視図である。
【図７】図７は本発明の実施の形態に係る掲示板組立構造体について、ガードパイプの水平方向のパイプに取付けて設置する場合の説明図で、かかる掲示板組立構造体を掲示側とは反対側の裏側から見たときの全体斜視図で、（ａ）及び（ｂ）は、間隙の説明図である。
【図８】図８は本発明の実施の形態に係る掲示板組立構造体について、ガードパイプの水平方向のパイプに取付けて設置する場合の説明図で、掲示板組立構造体を掲示側の表側から見たときの要部分解斜視図である。
【図９】図９は本発明の実施の形態に係る掲示板組立構造体について、ガードレールの水平方向の板体に取付けて設置する場合の説明図で、かかる掲示板組立構造体を掲示側の表側から見たときの全体斜視図である。
【図１０】図１０は本発明の実施の形態に係る掲示板組立構造体について、ガードレールの水平方向の板体に取付けて設置する場合の説明図で、かかる掲示板組立構造体を掲示側とは反対側の裏側から見たときの全体斜視図である。
【図１１】図１１は本発明の実施の形態に係る掲示板組立構造体について、支持脚への固定具の取付けを説明するための説明図であり、支持脚の挿入孔に対して固定具を挿入するときの斜視図（ａ）と、支持脚の挿入孔に挿入された固定具の係止状態を示す正面図（ｂ）及び斜視図（ｃ）である。
【図１２】図１２は本発明の実施の形態に係る掲示板組立構造体について、塀・壁に取付けて設置する場合の説明図で、かかる掲示板組立構造体を掲示側とは反対側の裏側から見たときの全体斜視図である。
【図１３】図１３は本発明の実施の形態に係る掲示板組立構造体について、掲示板へのフック部材の取付けを示す要部分解斜視図である。
【図１４】図１４は本発明の実施の形態に係る掲示板組立構造体のフック部材の構成を示す要部斜視図（ａ）及び断面図（ｂ）である。
【図１５】図１５は本発明の実施の形態に係る掲示板組立構造体について、塀・壁に取付けて設置する場合の説明図で、かかる掲示板組立構造体を塀・壁に取付けた状態で掲示側とは反対側の裏側から見たときの部分断面を含む全体斜視図である。
【図１６】図１６は本発明の実施の形態に係る掲示板組立構造体について、塀・壁に取付けて設置する場合の説明図で、塀・壁に取付けた状態の図１５に対応する掲示板組立構造体を側面側から見た断面図である。
【図１７】図１７は本発明の実施の形態に係る掲示板組立構造体について、塀・壁に取付けて設置する場合の説明図で、かかる掲示板組立構造体を図１６とは異なる形態で塀・壁に取付けた状態の側面側から見た断面図である。
【図１８】図１８は本発明の実施の形態に係る掲示板組立構造体について、フェンスに取付けて設置する場合の説明図で、かかる掲示板組立構造体をフェンスに取付けた状態で掲示側とは反対側の裏側から見たときの一部断面を示す全体斜視図である。
【図１９】図１９は本発明の実施の形態に係る掲示板組立構造体について、塀・壁に取付けて設置する場合の説明図で、塀・壁に取付けた状態の図１８に対応する掲示板組立構造体を側面側から見た断面図である。
【図２０】図２０は本発明の実施の形態に係る掲示板組立構造体について、フェンスに取付けて設置する場合の説明図で、かかる掲示板組立構造体を図１８及び図１９とは異なる形態でフェンスに取付けた状態で掲示側とは反対側の裏側から見たときの全体斜視図である。
【図２１】図２１は本発明の実施の形態に係る掲示板組立構造体について、フェンスに取付けて設置する場合の説明図で、フェンスに取付けた状態の図２０に対応する掲示板組立構造体を側面側から見た断面図である。
【発明を実施するための形態】
【００２７】
以下、本発明の実施の形態について、図１乃至図２１を参照しながら説明する。
なお、同一の記号及び同一の符号は、実施の形態中の同一または相当する機能部分を意味するものであるから、ここでは重複する詳細な説明を省略する。
【００２８】
本実施の形態の掲示板組立構造体１は、ポスター貼着用の掲示板１０と、掲示板１０を地面の上や、ガードレール、ガードパイプ等の車両用防護柵や、塀・壁や、フェンス等の設置場所に設置するための取付手段と、取付手段を掲示板１０に取付ける固定手段３０としてのボルト３１及びナット３２と、掲示板１０においてポスターが貼着される表側とは反対側の裏側に固着され、固定手段としてのボルト３１を摺動自在に保持する補強部２０とを有する。なお、本発明の実施の形態は、選挙用ポスターを掲示する掲示板組立構造体１としての適用例で説明する。
【００２９】
まず、本実施の形態の掲示板組立構造体１について、ガードレールやガードパイプ等の車両用防護柵、塀・壁、フェンス等に固定することなく地面に打ち込み起立させて設置する形態を、図１乃至図５を参照して、説明する。
【００３０】
本実施の形態のポスター貼着用の掲示板１０は、図４に示すように、ポスター貼着用に所定の面積の矩形状を呈し、アルミニウムにより形成される板状の基材１０ａ、その間にポリエチレン樹脂またはポリプロピレン等の発泡性の合成樹脂の芯材１０ｂによって形成されている。更に、アルミニウム板の基材１０ａには、ポリエチレンからなる透明等のフィルム１０ｄがアクリル系（アクリル酸エステル系、メタアクリル酸エステル系等）の粘着剤１０ｃによって貼着されている。
この本実施の形態で使用するアルミニウム複合板は、ポリエチレン樹脂またはポリプロピレン等の発泡樹脂、ソリッド樹脂を芯材１０ｂとし、その合成樹脂の芯材をアルミニウムで片面側または両面側を貼着した複合板材としてもよい。
即ち、片面または両面のアルミニウムとその片面または両面に合成樹脂を貼着された積層構造のアルミニウム複合板で構成されている。
ポスターが貼着される側の表層には、例えば、選挙掲示板としての用途であれば、選挙タイトル、投票日、選挙注意書き、選挙内容、区画枠線、掲示枠番号等が印刷または印字され、表示される。なお、図においては、簡易的に、ポスター貼付け箇所を指定する区画枠線の黒枠のみ掲示板１０の表側（前面）に表示した。特に、ポリエチレン系のフィルム１０ｄによれば、適度な硬さを有し、雨等の水分や紫外線、熱による劣化で剥がれや浮きが生じ難く、また上記表示の印刷、印字も容易にできる。
【００３１】
アルミニウム板の基材１０ａへのフィルム１０ｄの貼着は、例えば、厚みが０．０３ｍｍ〜０．１ｍｍのポリエチレンフィルムにアクリル系の粘着剤（例えば、１０〜３０ｇ／ｍ２）が塗布されて剥離可能な離型紙に貼り付けられ、このロール状の離型紙付きフィルムをアルミニウム板の基板１０ａの表面に配置し、離型紙を剥がしてローラで押圧しながらアルミニウム板の基材１０ａの表面に圧着することにより行っています。また、アルミニウムからなる板状の基材１０ａへ、上記所定の文字や図形等がスクリーン印刷されてロール状とした離型紙付きフィルムとしてもよい。また、アルミニウム板の基材１０ａに対して、所定の文字や図形等がスクリーン印刷され、その上にロール状とした離型紙付きフィルムを用意し、このロール状の離型紙付きフィルムをアルミニウム板の表面に配置し、離型紙を剥がしてローラで押圧しながらアルミニウム板１０ａの表面に圧着することにより行われる。
【００３２】
なお、アルミニウム板側の基材１０ａに粘着剤１０ｃを塗布して、そこにフィルム１０ｄを貼り付けてもよい。フィルム１０ｄは、通常、基材１０ａの特定の表面全体に貼着されるが、必要に応じ厚み面にまで達する程度の大きさで貼着してもよい。また、フィルムの貼着は基材１０ａに対して１枚の連続的な供給であってもよいし、複数枚を接続して使用してもよい。更に、フィルム１０ｄの貼着はポスター掲示面のみであってもよい。
【００３３】
因みに、本発明者の実験研究により、アルミニウム板からなる基材１０ａに粘着剤１０ｃを介して貼着されたポリエチレンフィルムを引き剥がすＪＩＳ−Ｚ−０２３７に準拠して測定した１８０℃引き剥がし試験における剥離強度が、１００〜１４０ｇ／２５ｍｍの範囲内、より好ましくは１１０〜１３０ｇ／２５ｍｍの範囲内であれば、適度な粘着性を有して雨等の水分や紫外線、熱に曝されても選挙の使用期間中（通常、３か月以内）にフィルムが浮いたり剥離したりすることがなく、使用後は作業者が道具や水分等を使用することなく手作業で容易に引き剥がすことができ、基材１０ａにフィルム１０ｄや粘着成分を残すことなく、基材１０ａの再使用が可能であることを確認した。
【００３４】
なお、剥離強度が１００ｇ／２５ｍｍ未満であると、粘着力が弱く雨等の水分や紫外線、熱に曝されると粘着剤１０ｃの劣化等により短期間でフィルム１０ｄが浮いたり剥離したりしてしまう一方で、１４０ｇ／２５ｍｍを超えると、手作業での引き剥がしが困難で作業性が悪く、基材１０ａにフィルム１０ｄや粘着成分が残ったり引き剥がしの際に基材１０ａを傷付ける恐れがあったりし、基材１０ａの再使用が困難となる。
【００３５】
１８０℃の引き剥がし試験は、ＪＩＳ−Ｚ−０２３７に準拠して、アルミニウム板からなる基材１０ａにアクリル系の粘着剤１０ｃが片面全面に塗布されたポリエチレンフィルム（厚み：０．０５ｍｍ、２５ｍｍ幅）を貼着し、２０℃〜４０℃の炎天下の屋外に１カ月放置した後、基材１０ａに貼着されたポリエチレンフィルムを引張速度３００ｍｍ／ｍｉｎで幅方向に直角な長手方向に１８０°折り返してフィルム１０ｄを引き剥し、このときのフィルム１０ｄの引き剥がしに要する力を測定したものである。
つまり、１００〜１４０ｇ／２５ｍｍとは、アルミニウム板にアクリル系の粘着剤１０ｃで貼着した２５ｍｍ幅のポリエチレンフィルムを１８０°方向に折り返して剥がすときに１００〜１４０ｇの重量が必要であったことを示している。
【００３６】
なお、このように形成される掲示板１０は、複数枚（パネル）を横や縦に並列して構成してもよいし、１枚板から構成することもでき、一般に、４５０（４４０）ｍｍ幅×９００ｍｍ長さ、９００（８８０）ｍｍ幅×１８００ｍｍ長さに設定される。殊に、アルミニウム板からなる基材１０ａの表裏面にポリエチレンからなるフィルム１０ｄがアクリル系の粘着剤１０ｃによって貼着された積層構造のアルミニウム複合板である本実施の形態の掲示板１０は、両面テープや画鋲等を使用した選挙用ポスターの貼付作業も容易に可能で、貼着したポスターも剥離し難いものである。そして、アルミニウムは軽量で堅固であり、成型性も良く、耐候性に優れて劣化、変形し難く設置作業や耐久性の観点からも繰り返しの使用、また、使用後のリサイクル性に有利である。また、画鋲を使用したポスターの貼着でアルミニウム板に部分的に画鋲による穴があいたとしても、パテ等による補修で穴を埋めて修復でき、再貼着するフィルムの接着にも影響することなく、繰り返しの再使用を可能とする。
【００３７】
したがって、アルミニウム板の基材１０ａ間に配設した発泡性の合成樹脂の芯材１０ｂによって形成され、その表面に粘着剤１０ｃによって透明または着色のフィルム１０ｄが貼着され、ポスター貼着用とされる。ポスターは粘着剤１０ｃによって貼着した透明のフィルム１０ｄ及び粘着剤１０ｃ、芯材１０ｂの両側のアルミニウム板の基材１０ａに画鋲等を刺して固着される。また、ポスターの剥離の場合には、粘着剤１０ｃによって貼着した透明のフィルム１０ｄを剥がすことにより、ポスターを剥がすことができる。よって、簡単にはポスターを剥がすことができる。
そして、この掲示板１０には、図２至図４に示すように、ポスター貼着側の表側とは反対側の裏面側に、水平方向（左右の横方向）に延びる長尺状の複数の補強部２０が接合等によって固着されている。
【００３８】
補強部２０は、アルミニウム製で、アルミニウムの押出成形等によって長尺状に形成されたものである。補強部２０は、図３及び図４に示すように、水平方向に延びる平板状の平面部２１が掲示板１０に面接触し、掲示板１０の左右の横方向に沿って固着されている。そして、平面部２１の長手方向に対して直角（直交）方向に平面部２１部から上下一対で延びて、その先端を互いに対向するように直角に内側に折り曲げて上下に対向する一対の断面Ｌ状の突条部２２の形成により、その内側に後述する挿通孔４１ａを形成した取付手段としての支持脚４１を固定するためのボルト３１の頭部３１ａを収容する収容溝２３を有する。そして、突条部２２の先端を直角に折り曲げて上下に対向する一対のリップ状係止部２２ａの形成により、収容溝２３に収容されたボルト３１の頭部３１ａの離脱を禁止して頭部３１ａを拘束する。
【００３９】
水平方向に延びる長尺状の補強部２０の左右両端は開口しており、そこからボルト３１の頭部３１ａが挿入されると、上下に対向する一対の断面Ｌ字状の突条部２２及び断面Ｌ字状の突条部２２の内側の収容溝２３によってレール状に形成された補強部２０に、ボルト３１の頭部３１ａが収容され保持される。特に、補強部２０が水平方向（左右の横方向）に延びるレール状であることで、ボルト３１の頭部３１ａを摺動自在とし任意の位置で保持可能とする。つまり、後述する支持脚４１等の取付手段の取付位置を設置場所等に応じて選択的に設定できるようになっている。
なお、収容溝２３の空間容積や、一対の突条部２２の開放側の対向幅は、市販の一般的なボルト３１の大きさの規格に対応して設定されている。勿論、規格外のボルト３１を採用して、それに対応した寸法に設定することも可能である。使用するボルト３１の頭部３１ａに直交する軸部３１ｂが、一対の突条部２２の開放側の対向幅に近い直径長さを有すると、ボルト３１のスムースで安定した摺動を可能としつつ、ボルト３１のがたつきを防止できる。
【００４０】
このようにしてボルト３１を保持可能に形成された補強部２０が掲示板１０の裏面に溶着等によって固着されていることで、後述する支持脚４１の掲示板１０に取付けるための固定手段としてのボルト３１が補強部２０で保持されることから、掲示板１０を傷付けることなく固定手段としてのボルト３１・ナット３２によって後述する支持脚４１の掲示板１０への取付けを可能とする。また、掲示板１０に補強部２０が固着されることで、掲示板３０全体の強度や剛性を高くする。よって、掲示板１０の繰り返しの使用を可能とする。
【００４１】
ここで、本実施の形態においては、図２、図３、図５等で示すように、掲示板１０の上端及び下端部とそれらの中間部の位置の３列で補強部２０が掲示板１０の左右の横方向に沿って固着されており、支持脚４１等の取付手段の取付位置を選択的に設定できて、設置場所等に応じて掲示板１０の高さ位置の変更を可能とする。
【００４２】
しかし、本発明を実施する場合には、掲示板１０の大きさ、種類、強度、設置場所等によっては、補強部２０の掲示板１０への固着を１列または２列としてもよいし、４列以上設けてもよく、その固着位置も任意とすることができる。また、図２、図３、図５等において、掲示板１０の上端部及び中間部では、補強部２０として長尺状の１本の部品が掲示板１０の左右方向に沿って連続して固着しているが、掲示板１０の下端部では、補強部２０として２本の部品を所定の距離で離した状態で掲示板１０の左右方向に沿って固着しているように、本発明を実施する場合には、長尺状の１本の部品を掲示板１０の左右方向に沿って固着して列を構成しても良いし、複数本の部品で掲示板１０の左右方向に沿って固着して列を構成してもよい。このとき複数本を互いに所定の距離で離した状態としても良いし、接続した状態としてもよい。特に、複数本を互いに所定の距離で離して、ボルト３１の補強部２０への挿入口を４箇所以上の複数箇所設けることで、後述する支持脚４１の組み付け後に掲示板１０のパネルを横方向で連結させる事態が生じても、組立直すことなく掲示板１０に対して支持脚４１の追加の取付けが可能であり、利便性、作業性に優れる。
なお、複数枚のパネルの接ぎ合わせによって掲示板１０を構成する場合には、各パネルに対応して補強部２０を用意してそれに固着し、それらを接ぎ合せるようにしてもよい。例えば、補強部２０を有する掲示板１０同士であれば、補強部２０同士を接続するコ字状等のカバーを補強部２０に取付けることで両者を繋げることができるし、後述する支持脚４１組み付け後の増設も可能である。このときの補強部２０へのカバーの取付は、補強部２０に係合可能に形成されたカバーの係合による取付け、或いは、ボルト・ナット等による取付け等が挙げられる。
【００４３】
なお、掲示板１０への固着部分の材質が補強部２０の平面部２１の材質と同じ、例えば、アルミニウムであれば、溶接等により容易に固着することができ、容易な成形で強度も確保でき、軽量性、耐久性、再利用性、リサイクル性、成型性等の観点から有利であるが、本発明を実施する場合には、異なる材質であってもよいし、固着方法も溶接等に限定されず、例えば、接着剤や、ねじ等で固定するようにしてもよい。しかし、好ましくは、掲示板１０を長持ちさせるために、溶接等の掲示板１０に穴をあけることのない固着手段が好ましい。特に、図３に示したように、補強部２０において、突条部２２の長手方向に対して直角方向に延び、水平方向（左右の横方向）に連続する帯状の平面部２１を設けることで、補強部２０の平面部２１を掲示板１０に密着させてがたつきのない安定した固定を可能とする。
【００４４】
ところで、上述したように、本実施の形態では、補強部２０が左右の横方向に延びるレール状であることで、ボルト３１の頭部３１ａを摺動自在として任意の位置で保持可能とし、後述の支持脚４１等の取付手段の取付位置を選択的に設定できるようになっているが、設置場所での組付作業を容易とするために、位置決め手段を採用してもよい。例えば、補強部２０にてボルト３１を保持する位置を位置決め手段としてのマーカーやテープ等で掲示板１０の裏側や補強部２０に記す手法が挙げられる。また、補強部２０でボルト３１を保持する位置にて補強部２０の平面部２１から上下一対で掲示板１０側とは反対側に延びた突条部２２を内側に部分的に押圧して、上下一対のリップ状係止部２２ａ相互間の開放距離（開口）を狭め、ボルト３１のそれ以上の摺動を規制する位置決め手段を採用することもできる。これより、バランスの良い安定した組み付けにできる位置決めが容易にできる。
【００４５】
なお、図２及び図７の最下段の補強部２０には、中央にボルト３１の頭部３１ａの挿入離脱を自在とし、補強部２０にボルト３１の頭部３１ａを挿入したときには、摺動自在として左右に移動するもので任意の位置でボルト３１・ナット３２によって取り付けが可能である。この、間隙２０−１は、上下に掲示板１０を繋ぐとき、ボルト３１の頭部３１ａを両側から挿入するよりも、作業効率をよくするものである。したがって、間隙２０−１は、ボルト３１の頭部の間隔となっている。また、間隙２０−１は、上下に突条部２２及び一対のリップ状係止部２２ａを削除し、掲示板１０を上下に繋ぐとき、ボルト３１の頭部３１ａを両側から挿入するよりも、作業効率をよくするものである。したがって、間隙２０−１は、ボルト３１の頭部の間隔またはそれ以上の幅となっている。
他の事例として、図２及び図７の最下段の補強部２０のように間隙２０−１で切断すると補強部２０が弱くなるので、上段の突条部２２の一部（ボルト３１の頭部３１ａ）のみを切削した間隙２０−２とすると掲示板１０の機械的強度が上がる。したがって、間隙２０−２であると、下段の突条部２２及び平面部２１が健全であるから、機械的強度が殆ど低下しない。
【００４６】
本実施の形態の掲示板組立構造体１を地面に打ち込み自立させて設置する形態では、掲示板１０を設置場所に設置する取付手段として、掲示板１０を所定の高さに支持する支持脚４１及び支持脚４１を斜めから支える傾斜脚４２が採用される。
また、断面略Ｌ字状の等辺山形鋼からなる支持脚４１は、スチールやアルミニウム等の長尺状の一対の面４５ａ，４５ｂが略直交状に配置されて断面Ｌ字形状を呈しており、その長さ方向に沿って、ボルト３１の軸部３１ｂが挿通される複数の挿通孔４１ａ、４１ｂを有する。
【００４７】
なお、図において、便宜的に、支持脚４１を構成するＬ字状をなす帯状体のうち、補強部２０に当接される側の挿通孔４１ａ、他方の挿通孔４１ｂとし、補強部２０に当接される側の挿通孔４１ａに設けられて補強部２０に保持されたボルト３１が挿通される挿通孔４１ａ、他方の挿通孔４１ｂに設けられた挿通孔４１ｂとした。挿通孔４１ａと挿通孔４１ｂは、一対の面４１ｅ，４１ｆにおいて、同一数でその位置が互いに対応して長さ方向で所定間隔の同じ配置となっている。このように面４１ｅと面４１ｆの区別を設けないことで、安価な製作を可能とし、また作業者にとって組立作業を分かりやすくしている。しかし、本発明を実施する場合には、面４１ｅの挿通孔４１ａと面４１ｆの挿通孔４１ｂとで、数や配置を相違させてもよい。
【００４８】
挿通孔４１ａ、４１ｂは、補強部２０の配置間隔に対応した間隔で少なくとも補強部２０の列数設けられるのが好ましく、更に所定の強度を確保できる範囲で多数設けると、掲示板１０に固着された補強部２０への取付位置や、連結される後述の第１補強脚４３や傾斜脚４２の取付位置を選択的に設定でき、掲示板１０の高さ位置の任意の設定や設置バランスの調節を容易に可能として、設置場所に応じた安定して見栄えの良い設置を可能とする。
【００４９】
そして、本実施の形態においては、同一部材で支持脚４１と後述の傾斜脚４２を兼用し、傾斜脚４２においても支持脚４１への取付を可能とする一方で、地面側への低い位置で後述の第１補強脚４３や第２補強脚４４を取付ける取付位置の選択を可能とするためにそれに対応する挿通孔４１ａ,４１ｂを複数設けている。また、補強部２０の配置間隔に対応して形成された挿通孔４１ａ，４１ｂの近くにも挿通孔４１ａ，４１ｂを穿設することで、掲示板１０に支持脚４１を固定するためのボルト３１・ナット３２と、支持脚４１と傾斜脚４２を固定するためのボルト３１・ナット３２が互いに干渉しない位置での取付を可能として、各ボルト３１・ナット３２の締結の作業性を良好にしている。そして、図２、図３、図５に示すように、支持脚４１及び傾斜脚４２の挿通孔４１ａ，４１ｂの位置は、均等の間隔でなく、配置間隔を長手方向で変更して方向性を持たせている。しかし、本発明を実施する場合には、挿通孔４１ａ，４１ｂを規則的に配置して上下の方向性を持たせることなく、作業者にとって組立作業が分かりやすいようにしても良い。
【００５０】
また、挿通孔４１ａ，４１ｂは、支持脚４１の長手方向に延びる長孔状を呈していることでも、取付位置の調節を可能とし、特に、掲示板１０に支持脚４０を固定するためのボルト３１・ナット３２と支持脚４０と傾斜脚４１を固定するためのボルト３１・ナット３２が互いに干渉しない位置での取付けを可能とし、各ボルト３１・ナット３２の締結の作業性を良好にしている。しかし、本発明を実施する場合には、挿通孔４１ａ、４１ｂの形状は、円形状、楕円形状、角形状等であってもよい。
【００５１】
支持脚４１は、その長手方向が掲示板１０の裏面に固着された補強部２０の水平方向（左右の横方向）に対して直角に配置され、Ｌ字状に交差する一対の面４５ａ，４５ｂのうちの一方の面４５ａの片面側を補強部２０の開放側に対向させる。即ち、一対の面４５ａ，４５ｂのうちの一方の面４５ａを補強部２０の水平方向（左右の横方向）に対して直交方向に配置し、それに直角なもう一方の面４５ｂを補強部２０に面して配置する。そして、補強部２０に挿入されて保持されたボルト３１の軸部３１ｂを、補強部２０に面して配置した面４５ｂの挿通孔４１ａに挿通し、ボルト３１の軸部３１ｂにナット３２を螺合してボルト３１とナット３２を締結することによって、支持脚４１は補強部２０を介して掲示板１０に固定されることになる。なお、取付の安定化等のため、締結手段のボルト３１の頭部３１ａとナット３２の間には、適宜、ワッシャ、スプリングワッシャを入れても良い。
【００５２】
このようにボルト３１とナット３２の締結により補強部２０に取付固定された断面略Ｌ字状の等辺山形鋼からなる支持脚４１は、地面に対して垂直に立設され、掲示板１０を所定の高さに支持する。
図３及び図５においては、掲示板１０の上端部、中間部及び下端部に固着された複数の補強部２０のそれぞれに対応して、支持脚４１の長手方向に沿う挿通孔４１ａに複数の補強部２０のそれぞれで保持されているボルト３１の軸部３１ｂを挿通してナット３２締めを行うことにより、ボルト３１とナット３２の締結により１本の支持脚４１において３箇所が補強部２０に固定されている。しかし、設置場所や掲示板１０の大きさ、種類、重量等によっては、複数の補強部２０に対して取付箇所を選択的として１本の支持脚４１で１箇所乃至６箇所での取付けとすることも可能である。即ち、補強部２０の列数に応じ、全列に対して支持脚４１を固定することもできるし、任意に列を選択して支持脚４１の固定を行ってもよい。
【００５３】
また、図３及び図５においては、並列的に配置した２本の支持脚４１によって掲示板１０を所定の高さに支持しているが、設置場所や掲示板１０の大きさ、種類、重量等によっては、支持脚４１を１本または３本以上としてもよい。特に、上述したように、本実施の形態においては、補強部２０がボルト３１を摺動自在に保持可能で任意の位置で保持できるため、補強部２０への支持脚４１の取付位置を設置場所等に応じて選択的に設定できる。つまり、広範囲な設置場所に対応できる利便性を有し、設置自由度が高い。
【００５４】
ここで、本実施の形態においては、このようにして掲示板１０の裏面の補強部２０に取付固定されて地面に垂直に打ち込まれて立設される断面略Ｌ字状の等辺山形鋼からなる支持脚４１の下部側で、支持脚４１の長手方向に沿って支持脚４１よりも短尺な第１補強脚４３が取付けられ、第１支持脚４１の立設を安定強化する。
【００５５】
なお、断面略Ｌ字状の等辺山形鋼からなる支持脚４１は、地面に打ち込む側の反対側の端部には、断面略Ｌ字状の等辺山形鋼の端部の内側を溶接した略等辺三角形状の溶接端部４３Ｘが形成されている。断面略Ｌ字状の等辺山形鋼の端部の内側を溶接した略等辺三角形状の溶接端部４３Ｘは、懸けや、小槌、ハンマー等で打ち込む際に部分的衝突であっても、支持脚４１の長さ方向に外力が誘導されるようにしている。
また、挿入端部４３Ｙは、溶接端部４３Ｘを懸けや、小槌、ハンマー等で打ち込む際に抵抗が少なくするように形成されている。
第１補強脚４３は、ステンレス、アルミニウム、鉄等からなる断面略Ｌ字状の等辺山形鋼からなり、その長さ方向に沿って長尺状の複数の挿通孔４３ａ、４３ｂを有している。
【００５６】
なお、図５において、便宜的に、第１補強脚４３を構成する断面略Ｌ字状の等辺山形鋼において、支持脚４１の上に位置する略等辺三角形状の溶接端部４３Ｘに対して、地中に打ち込まれる挿入端部４３Ｙとし、支持脚４１に当接される側の略等辺三角形状の溶接端部４３Ｘに設けられて支持脚４１に取付けるためのボルト３１が挿通される挿通孔４３ａ、挿通孔４３ｂを有している。挿通孔４３ａと挿通孔４３ｂは、断面略Ｌ字状の等辺山形鋼からなる支持脚４１と、同一間隔でその位置が互いに対応して長さ方向で所定間隔の同じ配置となっている。このように断面略Ｌ字状の等辺山形鋼からなる支持脚４１によって安価な製作を可能とし、また作業者にとって組立作業を分かりやすくしている。しかし、本発明を実施する場合には、断面略Ｌ字状の等辺山形鋼からなる支持脚４１と溶接端部４３Ｘとで、数や配置を相違させてもよい。また、図では挿通孔４３ａ、４３ｂが等間隔に配置されているが、所定の規則または不規則の配置であってもよい。更に、第１補強脚４３の挿通孔４３ａ、４３ｂにおいても、複数個形成されているうえ、第１補強脚４３の長手方向に延びる長孔状を呈していることで、ボルト３１・ナット３２の取付位置の選択幅を広くして、支持脚４１と第１補強脚４３の取付位置の組み合わせ自由度を高くしているが、本発明を実施する場合には、挿通孔４３ａ、４３ｂの数や形状は任意である。因みに、生産性やコストの観点から、図において、支持脚４１と第１補強脚４３の両部材では、帯状体の幅や挿通孔の大きさを同一としているが、相違する寸法形状であってもよい。
【００５７】
本実施の形態において、支持脚４１への第１補強脚４３の取付けは、補強部２０に取付られて地面に垂直に打ち込まれて立設される断面略Ｌ字状の等辺山形鋼からなる支持脚４１に対して並行して第１補強脚４３を配置し、即ち、支持脚４１の長手方向に第１補強脚４３の長手方向を一致させて配置し、そして、断面略Ｌ字状の等辺山形鋼からなる支持脚４１のうちの、補強部２０に当接させた面に対して、第１補強脚４３を構成する断面略Ｌ字状の等辺山形鋼のうちの一方の一面を当接させて、支持脚４１の下部側の任意の１または２以上の挿通孔４１ｂに第１補強脚４３の任意の１または２以上の挿通孔４３ａの位置を合わせて、締付手段のボルト３１を挿通し、ナット３２を締めすることにより行われる。
【００５８】
ここで、掲示板組立構造体１を地面に打ち込み起立させる形態では、第１補強脚４３を地中まで達するように打ち込んで安定した自立を可能とするために、支持脚４１または第１補強脚４３の何れか一方、或いは、両方で、地面に接触させる長手方向の一端を尖軸状に形成するのが好ましい。先端側を尖らせることで地面に打ち込みやすく、地面へ埋め込んで安定した立設を可能とする。例えば、図５に示すように、第１補強脚４３の下端の先端側で、挿入端部４３Ｙは断面略Ｌ字状の等辺山形鋼の幅を徐々に狭くし先端側を鋭くすることで、地面に差し込みやすくし、また、溶接端部４３Ｘは第１補強脚４３を地面に打ち込む際の衝撃バランスを確保するもので、支持脚４１と第１補強脚４３の立設により、安定した自立を可能とする。つまり、支持脚４１に取付ける第１補強脚４３の先端を杭状として地中に打ち込むことで、第１補強脚４３を地面に固定して、支持脚４１を安定して自立させることができる。特に、掲示板１０の裏面の補強部２０に取付けられる支持脚４１とは別体の第１補強脚４３において、その先端を尖軸状に形成して地面に差し込んで地面に固定することで、掲示板１０を支える荷重が分散され、設置地面の条件による拘束も受け難く、自立の安定性が極めて高いものとなる。
【００５９】
また、支持脚４１と第１補強脚４３の両者がＬ字状に形成されていることでも、地面に対して２次元以上の接触により自立しやすく、荷重分布を緩和できることで設置地面の凹凸等の形状や性質にも作用され難く、安定した設置が可能である。
【００６０】
なお、図において、第１補強脚４３はそのＬ字状の内角側が掲示板１０の掲示側とは反対の背面側に向く配置として、ポスターが貼付けられる正面側からは第１補強脚４３の面４５ｂによってボルト３１・ナット３２の存在が視認され難くなっていて見栄えを良くしている（図１参照）。しかし、第１補強脚４３のＬ字状の内角側が掲示側（正面側）に向く配置とすることも可能である。
更に、本実施の形態においては、支持脚４１の長手方向に第１補強脚４３の長手方向を一致させて取付けることで、支持脚４１と第１補強脚４３を共に地面に対して垂直に立設させることになるが、本発明を実施する場合には、設置地面の条件や重量バランスに応じ、支持脚４１に対して第１補強脚４３を斜めに取付け、地面に斜めに立設させてもよい。
また、支持脚４１が複数である場合、選択的に第１補強脚４３を設けてもよいし、掲示板１０や支持脚４１の大きさ、種類、重量等によっては、第１補強脚４３を省略してもよい。
【００６１】
更に、本実施の形態においては、掲示板１０に補強部２０を介して固定手段３０としてのボルト３１・ナット３２により固定し地面に垂直に起立させて掲示板１０を所定の高さに支持する支持脚４１に対して、傾斜脚４２が傾斜状態で取付られる。
本実施の形態では、傾斜脚４２は、支持脚４１と同一の部品が使用される。即ち、傾斜脚４２も、ステンレス、アルミニウム、鉄等の長尺状の断面略Ｌ字状の等辺山形鋼からなり、その長さ方向に沿って、支持脚４１に固定するためのボルト３１の軸部３１ｂが挿通される複数の挿通孔４２ａ、４２ｂを有する。
【００６２】
なお、図５において、便宜的に、傾斜脚４２を構成する断面略Ｌ字状の等辺山形鋼のうち、支持脚４１に当接される側の面４５ａ、他方の面４５ｂとし、支持脚４１に当接される側の面４５ａに設けられて支持脚４１に固定するためのボルト３１が挿通される挿通孔を４２ａ、他方の面４５ｂに設けられた挿通孔を４２ｂとした。支持脚４１と同一の部品であるから、当然、挿通孔４２ａと挿通孔４２ｂは、一対の面４５ａ，４５ｂにおいて、同一数でその位置が互いに対応して長さ方向で所定間隔の同じ配置となっており、面４５ａと面４５ｂの区別を設けていない。
【００６３】
支持脚４１への傾斜脚４２の取付けは、補強部２０に固定されて地面に垂直に立設される支持脚４１のＬ字状に交差する一対の面４５ａ，４５ｂのうちの、補強部２０に当接される面４５ａに直角な他方の面４５ｂに対して、傾斜脚４２のＬ字状に交差する一対の面４５ａ，４５ｂのうちの一方の面４５ａが傾斜した状態で当接し、傾斜脚４２に設けられた任意の挿通孔４２ａを支持脚４１の任意の挿通孔４１ｂの位置に合わせて、ボルト３１を挿通し、ナット３２締めすることにより行われる。
【００６４】
そして、地面に垂直に立設される断面略Ｌ字状の等辺山形鋼からなる支持脚４１に対して、ボルト３１とナット３２により斜めに取付固定された傾斜脚４２は、その一端部を地面に接触させてそこを支点とし、地面に対して斜めに立設されて支持脚４１を支持する。
【００６５】
なお、図５においては、傾斜脚４２の一端部（上端部）に設けられた挿通孔４２ａが、掲示板１０に固定された支持脚４１において掲示板１０の略中間部に位置する挿通孔４１ｂに合わせられ、ボルト３１・ナット３２の締結により掲示板１０の略中間部で支持脚４１に傾斜脚４２が取付けられているが、取付け位置はそこに限定されるものではなく、それよりも高い位置または低い位置であってもよい。また、傾斜脚４２の一端部（上端部）に近い挿通孔４２ａを使用して取付けを行っているが、掲示板１０の上端から傾斜脚４２を突出させるように傾斜脚４２を配置してその他の位置の挿通孔４２ａを使用して支持脚４１に取付けを行ってもよい。
【００６６】
特に、図５に示したように、支持脚４１において、補強部２０の配置間隔に対応した挿通孔４１ａ、４１ｂに近い位置に形成された挿通孔４１ａ、４１ｂを使用した傾斜脚４２の取付けでは、補強部２０と支持脚４１を固定するボルト３１・ナット３２と、支持脚４１と傾斜脚４２を固定するボルト３１・ナット３２とが互いに干渉しない位置であるから、その取付の締結作業が容易にできる。勿論、補強部２０への取付けがボルト３１・ナット３２により行われた支持脚４１の挿通孔４１ａの位置に対応する他方の挿通孔４１ｂにて、支持脚４１と傾斜脚４２の取付けを行うことも可能である。この場合でも、挿通孔４１ａ、４１ｂが長尺状に形成されていることで、ボルト３１・ナット３２の締結位置をずらせるから、補強部２０と支持脚４１を固定するボルト３１・ナット３２と、支持脚４１と傾斜脚４２を固定するボルト３１・ナット３２とが互いに干渉しない位置で、その取付の締結作業を容易にできる。また、支持脚４１の挿通孔４１ａと挿通孔４１ｂの位置をずらして形成することによっても互いに干渉しない位置での締結作業の容易化に対応することも可能である。
なお、傾斜脚４２の傾斜角度は設置地面の条件や重量バランス等を考慮して設定される。また、支持脚４１が複数である場合、それに対して選択的に傾斜脚４２を設けるようにしてもよい。
【００６７】
更に、本実施の形態においては、このようにしてＬ字状の支持脚４１に斜めに取付られる傾斜脚４２に対して、傾斜脚４２よりも短尺な第２補強脚４４が取付けられ、傾斜脚４２の立設を安定強化する。
【００６８】
本実施の形態では、第２補強脚４４は、第１補強脚４３と同一の部品が使用される。即ち、第２補強脚４４も、ステンレス、アルミニウム、鉄等からなる断面略Ｌ字状の等辺山形鋼の一対の面４５ａ，４５ｂが断面略Ｌ字状の等辺山形鋼により断面Ｌ字形状を呈しており、その長さ方向に沿って長尺状の複数の挿通孔４４ａ、４４ｂを有する。
【００６９】
なお、図５において、便宜的に、第１補強脚４３を構成する断面略Ｌ字状の等辺山形鋼において、傾斜脚４２に当接される側の面４５ａ、他方の面４５ｂとし、傾斜脚４２に当接される側の面４５ａに設けられて傾斜脚４２に固定するためのボルト３１が挿通される挿通孔４４ａ、他方の面４５ｂに設けられた挿通孔４４ｂとした。傾斜脚４２と同一の部品であるから、当然、挿通孔４４ａと挿通孔４４ｂは、一対の面４５ａ，４５ｂにおいて、同一数でその位置が互いに対応して長さ方向で等間隔の同じ配置となっており、面４５ａと面４５ｂの区別を設けていない。
【００７０】
傾斜脚４２への第２補強脚４４の取付けは、支持脚４１に斜めに取付けられる傾斜脚４２に対して第２補強脚４４が交差状に配置し、傾斜脚４２を構成する断面略Ｌ字状の等辺山形鋼の一対の面４５ａ，４５ｂのうちの支持脚４１に固定される側の面４５ａの一面に対して、第２補強脚４４を構成するＬ字状をなす一対の面４５ａ，４５ｂのうちの一方の面４５ａを当接させて、傾斜脚４２の任意の挿通孔４２ａに第２補強脚４４の任意の挿通孔４４ａの位置を合わせて、締付手段のボルト３１を挿通し、ナット３２締めすることにより行われる。なお、図１、図２、図５に示すように、第２補強脚４４は、地面に対して垂直に立設するように傾斜脚４２に取付けることもできるし、斜めにしてもよい。また、傾斜脚４２の長手方向に沿って取付けることも可能である。何れにせよ、設置条件、掲示板１０の大きさ等に応じて、支持バランスの安定する位置で取付けが行われる。勿論、傾斜脚４２への第２補強脚４４の取付位置も挿通孔４２ａの選択により任意であり、更に、第２補強脚４４の挿通孔４４ａの選択によっても支持バランスを調節できる。
【００７１】
そして、掲示板組立構造体１を地面に打ち込んで起立させる形態では、好ましくは、傾斜脚４２及び／または第２補強脚４４を地中まで達するように埋め込んで安定した自立を可能とするために、傾斜脚４２または第２補強脚４４の何れか一方、或いは、両方で、地面に接触させる長手方向の一端を尖軸状に挿入端部４４Ｙ形成するのが好ましい。先端側を尖らせることで地面に差し込みやすく、地面へ埋め込んで安定した立設を可能とする。また、傾斜脚４２または第２補強脚４４の何れか一方、或いは、両方を略等辺三角形状の溶接端部４４Ｘとするのが好ましい。
【００７２】
なお、図５においては、第２補強脚４４の下端の先端側で、一対の挿入端部４３Ｙの幅を徐々に狭くし先端側を鋭くして地面に差し込みやすくし、第２補強脚４４を地面に埋め込んで支持脚４１の斜めの立設の安定した自立を可能としている。即ち、傾斜脚４２に取付ける第２補強脚４４の先端を杭状として地中に打ち込むことで、第２補強脚４４を地面に固定して、傾斜脚４２を安定して自立させることができる。特に、傾斜脚４２とは別体の第２補強脚４４において、その先端を尖軸状に形成して地面に差し込んで地面に固定することで、掲示板１０を支える荷重が分散され、設置地面の条件による拘束も受け難く、自立の安定性が極めて高いものとなる。
【００７３】
また、傾斜脚４２と第２補強脚４４が、それぞれ断面略Ｌ字状の等辺山形鋼のＬ字状に形成されていることでも、地面に対して２次元以上の接触により自立しやすく、荷重分布を緩和できることで設置地面の凹凸等の形状や性質にも作用され難く、安定した設置が可能である。
【００７４】
なお、傾斜脚４２が複数である場合、それに対して選択的に第２補強脚４４を設けてもよいし、掲示板１０、支持脚４１、傾斜脚４２の大きさ、種類、重量、強度、バランス等によっては、第２補強脚４４を省略してもよい。
【００７５】
因みに、図においては、傾斜脚４２の取付向きが、安全性の観点から断面略Ｌ字状の等辺山形鋼の幅方向の両端部が上向きにならないように、また、ボルト３１・ナット３２の視認性を阻害する観点から、Ｌ字状の内角側が外角側よりも下方に向く配置となっているが、Ｌ字状の内角側が上方に向く配置としてもよい。更に、第２補強脚４４はそのＬ字状の内角側が掲示板１０の掲示側とは反対の背面側に位置する配置として、ポスターが貼付けられる正面側からは第２補強脚４４の挿入端部４３Ｙ側によって締付手段のボルト３１・ナット３２の存在が確認され難くなっており、良好な見栄えを確保している。しかし、第２補強脚４４のＬ字状の内角側が正面側に見える配置とすることも可能である。加えて、一対の支持脚４１もＬ字の外角側を互いに向き合わせて配置されているが内角側を向き合わせた配置であてもよい。つまり、掲示板組立構造体１の組み立てにおいて、断面略Ｌ字状の等辺山形鋼からなる支持脚４１、傾斜脚４２、第１補強脚４３、第２補強脚４４の断面略Ｌ字状の等辺山形鋼のＬ字の向きは特に限定されるものではない。
【００７６】
このように、掲示板１０の裏面に固着された補強部２０に取付けられて地面に垂直に立設される支持脚４１に対して、傾斜状態で地面に立設される傾斜脚４２の取付けにより掲示板１０を後方から支持し、そして、支持脚４１及び／または第１補強脚４３、並びに、傾斜脚４２及び／または第２補強脚４４を地中に埋め込んで地面に固定することで、掲示板１０の安定した自立を可能としている。
【００７７】
こうして、本実施の形態の掲示板組立構造体１は、ポスター貼着用の掲示板１０と、掲示板１０を設置場所に設置するための取付手段（Ｉ）としての、掲示板１０に固着された補強部２０に取付けられて地面に垂直に立設され掲示板１０を所定の高さに支持する支持脚４１及びそれを補強する第１補強脚４３、並びに、支持脚４１に対して斜めに取付けられて支持脚４１を支える傾斜脚４２及びそれを補強する第２補強脚４４と、取付手段としての支持脚４１を掲示板１０に取付けるための固定手段としてのボルト３１・ナット３２と、掲示板１０のポスターが貼着される表側とは反対側の裏側に固着され、固定手段３０としてのボルト３１を摺動自在に保持する補強部２０とを具備する。
【００７８】
そして、掲示板１０の裏側に固着された補強部２０に取付手段としての支持脚４１を固定手段３０としてのボルト３１・ナット３２によって取付け、また、支持脚４１の下部に第１補強脚４３をボルト３１・ナット３２によって取付け、支持脚４１及び／または第１補強脚４３を地面に打ち込み、埋め込んで固定して、支持脚４１を地面に垂直に起立させ掲示板１０を所定の高さに支持し、更に、支持脚４１に対して傾斜状態で傾斜脚４２をボルト３１・ナット３２によって取付け、また、傾斜脚４２の下部にボルト３１・ナット３２によって第２補強脚４４を取付け、支持脚４２及び／または第２補強脚４４を地面に埋め込んで固定して、傾斜脚４２を地面に斜めに立設して支持脚４１を支えることにより、掲示板組立構造体１を自立させて設置する（野立てとする）一形態を有する。
【００７９】
特に、本実施の形態では、支持脚４１と傾斜脚４２で同一部品を使用して、同一部品で支持脚４１と傾斜脚４２を兼用し、また、第１補強脚４３と第２補強脚４４で同一部品を使用して、同一部品で第１補強脚４３と第２補強脚４４を兼用しており、実質的に２種の部品により取付手段を構成するから、その製造が低コストで済み、経済的で安価な提供を可能とする。また、支持脚４１と傾斜脚４２の部品の区別をなくし、更に、第１補強脚４３と第２補強脚４４の部品の区別をなくしていることで、作業者の組立作業を分かりやすくしている。
【００８０】
しかし、本発明を実施する場合には、寸法形状や挿入孔の位置が相違する異なる部品で取付手段（Ｉ）を構成すること可能であり、支持脚４１、傾斜脚４２、補強脚４３、第２補強脚４４の全てを異なる部品としてもよいし、支持脚４１、傾斜脚４２、補強脚４３、第２補強脚４４のうちの何れか２種で同一部品の使用としてもよいし、３種で同一部品を使用しても良い。更に、支持脚４１、傾斜脚４２、第１補強脚４３及び第２補強脚４４の全てを同一の部品としても良い。これら全てを同一の部品とした場合には、より安価に製造できる。全てを同一の部品としても地面に埋め込む長さを調節することで、地面からの高さを調節して各部材の機能を発揮させることが可能である。また、１種の長尺部材を成形し、それを適宜切断して支持脚４１、傾斜脚４２、第１補強脚４３及び第２補強脚４４を形成することにより低コストで調達することもできる。
【００８１】
また、本実施の形態では、補強部２０の水平方向（左右の横方向）に連続して延びる収容溝２３及び突条部２２のレール状の形成によって支持脚４１を固定するためのボルト３１を摺動自在に保持できることで、支持脚４１の掲示板１０への取付位置を任意に設定できる。更に、掲示板１０に対して補強部２０が複数列で左右の横方向で固着されていることでも支持脚４１の掲示板１０への取付位置を選択できる。加えて、取付手段（Ｉ）としての支持脚４１、傾斜脚４２、第１補強脚４３及び第２補強脚４４には、挿通孔が複数形成されており、支持脚４１、傾斜脚４２、第１補強脚４３及び第２補強脚４４の組み付け位置も選択可能である。
よって、設置場所の条件等に応じて、掲示板１０の高さ、設置スペースの範囲等を適宜変更することが可能であり、設置や組み付けの自由度が高い。
【００８２】
更に、本実施の形態では、支持脚４１、傾斜脚４２、第１補強脚４３、第２補強脚４４がそれぞれＬ字状に形成されていることでも、地面に対して２次元以上の接触により自立しやすく、設置地面の条件による拘束が受け難く、設置自由度を高くできる。
しかし、本発明を実施する場合には、支持脚４１、傾斜脚４２、第１補強脚４３、第２補強脚４４の形状は、断面略Ｌ字状の等辺山形鋼のＬ字状に限定されることなく、ボルト３１・ナット３２の締結作業に支障がない範囲で断面コ字状に形成して強度を高めてもよいし、その他の形状であってもよい。例えば、棒状、角柱状、パイプ状に形成することも可能である。
【００８３】
また、上記実施の形態では、支持脚４１を掲示板１０の裏側に固着した補強部２０に固定する固定手段３０としてボルト３１・ナット３２を採用し、それ以外の支持脚４１、傾斜脚４２、第１補強脚４３、第２補強脚４４の取付け（組み付け）においても固定手段としてのボルト３１・ナット３２と同一部品を使用することにより、低コストで提供でき、経済的である。
また、ボルト３１・ナット３２であれば、着脱自在で持ち運び、運搬も容易であり、ボルト３１・ナット３２の取付け及び取外しの作業も極めて簡単である。更に、狭いスペースで部品保管できる。加えて、取付けや取外しの作業時の安全性も確保される。
【００８４】
そして、ボルト３１・ナットで支持脚４１、傾斜脚４２、第１補強脚４３、第２補強脚４４の組み付けを行う形態では、掲示板組立構造体１を構成する取付手段（Ｉ）としての支持脚４１、傾斜脚４２、第１補強脚４３、第２補強脚４４等の構成部品を分離して格納できるから、掲示板組立構造体１の保管スペースも小さくて済む。また、構成部品を分離できることで持ち運び、運搬も容易である。
更に、掲示板組立構造体１の組み立ての際には、スパナ等の締付具等の持ち運びが容易な道具のみの使用で、補強部２０が固着された掲示板１０に対してボルト３１・ナット３２による取付手段（Ｉ）としての支持脚４１、傾斜脚４２、第１補強脚４３、第２補強脚４４の組み付けを行うだけであるから、作業者の熟練を要することなく、設置作業を短時間で簡単にできる。故に、設置業者の経費も少なくて済む。また、解体の取外し作業も短時間で簡単に撤去できる。特に、選挙掲示板としての用途においては、選挙が決まった段階で選挙告示から短期間で所定の選挙区内の設置場所に設置される必要があるため、容易な組み立てが有利である。
【００８５】
しかし、本発明を実施する場合は、取付手段（Ｉ）としての支持脚４１、傾斜脚４２、第１補強脚４３、第２補強脚４４の組み付けにおいては、それぞれ異なる寸法形状のボルト３１・ナット３２を使用することもできるし、強固に取付固定が可能であればボルト３１・ナット３２以外の部品、例えば、リベット・かしめを使用することも可能である。特に、支持脚４１を掲示板１０の裏側に固着した補強部２０に固定する固定手段としては、ボルト３１・ナット３２以外に、例えば、クランクを使用し、クランクで支持脚４１を挟持することによって支持脚４１を掲示板１０に取付けることもできる。
【００８６】
なお、安全性の観点から、適宜、支持脚４１、傾斜脚４２、第１補強脚４３、第２補強脚４４の長手方向の端部は、エッジやバリに面取りが施されたり、補強を兼ねて断面略Ｌ字状の等辺山形鋼間に三角板を溶接して隅肉部分を設けて丸みが付されたりする。特に、長さ方向の端部で断面略Ｌ字状の等辺山形鋼間に三角板を溶接等によって取付けることで、強度が増して繰り返しの地面への打ち込みよる変形を防止でき、耐久性を高めることができる。
また、本実施の形態においては、取付手段（Ｉ）としての支持脚４１、傾斜脚４２、第１補強脚４３、及び第２補強脚４４から構成され、強風等を受けてもガタつくことのない安定した自立を可能とするが、掲示板１０の大きさ、種類、重量や設置場所の条件等によっては、支持脚４１相互間や、傾斜脚４２相互間や、第１補強脚４３相互間や、第２補強脚４４相互間や、支持脚４１、傾斜脚４２、第１補強脚４３、及び第２補強脚４４から選ばれる２種以上の相互間をそれらと同種または異種の金属部材等で水平にまたは斜めに連結して補強を行ってもよい。
【００８７】
次に、本実施の形態の掲示板組立構造体１について、車両用防護柵のガードパイプやガードレール等に取付けることにより固定して設置する形態を、図６乃至図１１を参照して、説明する。
【００８８】
本実施の形態の掲示板組立構造体１においては、掲示板１０を設置場所に設置する別の取付手段（II）として、掲示板１０に固着された補強部２０にボルト３１・ナット３２によって取付けられて掲示板１０を所定の高さに支持する支持脚４１とそれに対し、断面略コ字状に形成され、開放側両端部（長手方向の両端部）が取付けられる固定具５１とを有し、図６乃至図８に示したガードパイプのような水平方向に延びるパイプ状の横框ｇ１が垂直方向に所定間隔で配置してガード面が形成されるパイプ柵Ｇ１や、図９及び図１０に示したガードレールのような水平方向に延びる凹凸状の表裏面を有し、所定の縦幅（上下幅）に形成された板体Ｇ２等に対して安定的な取付けによる固定を可能とする。
【００８９】
即ち、図６乃至図８に示すように、ガードパイプ等の水平方向に延びるパイプ状の横框ｇ１や、図９及び図１０に示すように、ガードレール等の水平方向に延びる板体Ｇ２等に掲示板組立構造体１の取付固定を行って掲示板組立構造体１を設置する形態では、掲示板１０を設置場所に設置する取付手段（II）として、掲示板１０の裏面に固着された補強部２０に固定手段としてのボルト３１・ナット３２により取付けられる支持脚４１と、断面略コ字状に折曲形成されコ字の開放側両端部が支持脚４１の長手方向に沿って取付けられる長尺状の固定具５１との組み合わせにより、支持脚４１を地面に立設し起立させることで掲示板１０を所定の高さに支持し、そして、支持脚４１とそれに取付けられる固定具５１の間で取付対象の水平方向に延びる横框ｇ１や板体Ｇ２等を挟み込むことにより、掲示板組立体１を取付対象に固定する。
【００９０】
支持脚４１は、上述した自立式のときと同様、掲示板１０に固着された補強部２０に取付けられ地面に垂直に立設されて掲示板１０を所定の高さに支持するものであり、本実施の形態では上述した自立式のときの同一の部品が使用される。なお、支持脚４１の構成及び補強部２０への取付けは、上述の自立式と同様であるからここではその重複する説明を省略する。
【００９１】
固定具５１は、凹状に屈曲されて断面略コ字状に形成されたアルミニウムやステンレス、鉄等の金属からなる板状体であり、図８に示すように、コ字の底辺に相当する長尺の水平部分５１ａの一端側から折曲形成された傾斜部分５１ｂの先端に略Ｔ字状に係止部５１ｃが形成されている。また、Ｔ字状の係止部５１ｃとは反対側の他端部に水平部分５１ａから折曲形成された傾斜部分５１ｄ及び傾斜部分５１から外方に延びる水平部分５１ｅを有し、水平部分５１ｅには、固定具５１を支持脚４１に固定するためのボルト３１が挿通される挿通孔５１ｆが設けられている。
【００９２】
念のため説明すると、図１１に示すように、固定具５１の一端のＴ字状の係止部５１ｃは、その厚みｔが支持脚４１の挿通孔４１ａの横幅ｗ１の長さよりも小さく、また、Ｔ字の横棒の横幅ｗ２（固定具５１の長手方向に対して直角方向）が支持脚４１の長尺の挿通孔４１ａの縦幅ｈ１よりも小さいが挿通孔４１ａの横幅ｗ１よりも大きいことで、支持脚４１の挿通孔４１ａに挿入可能、かつ、支持脚４１に係止可能に形成されている。
【００９３】
また、本実施の形態において、固定具５１の長さは、ガードレールの板体Ｇ２の上下方向の縦幅の規格（例えば、３５０〜５００ｍｍ）に対応させ、支持脚４１の挿通孔４１ａに挿入されて係止させるＴ字状の係止部５１ｃと支持脚４１の面４５ａに当接させる水平部分５１ｅとの間で、水平方向の板体Ｇ２を介在させて、支持脚４１に対して板体Ｇ２の上下方向を挟み込んで固定具５１を取付可能に設定される。この長さにより、ガードパイプの水平方向に延びるパイプ状の横框ｇ１への安定した取付固定も可能である。
【００９４】
支持脚４１への固定具５１の取付けは、図６乃至図１０に示したように、取付対象の水平方向に延びる横框ｇ１や板体Ｇ２に近づけて地面に垂直に立設した支持脚４１に対して、所定高さに支持される掲示板１０よりも低い位置で水平方向に延びる横框ｇ１や板体Ｇ２を介して固定具５１を配置し、そして、図１１に示すように、まず、支持脚４１の掲示板１０よりも低い位置の任意の挿通孔４１ａの長手方向（縦幅ｈ１方向）に対応して固定具５１一端の係止部５１ｃのＴ字の横棒の横幅ｗ２方向を一致させ、つまり、Ｔ字の横棒を縦に垂直にして挿通孔４２ａに係止部５１ｃを挿入する（図１１（ａ）参照）。
次いで、固定具５１を９０°回動させてＴ字の横棒を水平状態にすることにより、このＴ字の横棒が支持脚４１の長手方向に直角な位置となって、Ｔ字の横棒の横幅ｗ２が挿通孔４２ａの横幅ｗ１よりも長いことで、Ｔ字状の係止部５１ｃが係止されて抜け止めされる（図１１（ｂ），（ｃ）参照）。そして、この係止部５１ｃが抜け止めされた状態で、図６乃至図１０に示すように、固定具５１において係止部５１ｃとは他端側の水平部分５１ｅに設けられた挿通孔５１ｆを、それに対応する位置の支持脚４１の挿通孔４１ａに合わせてボルト３１を挿入し、ナット３２締めを行う。
【００９５】
このように掲示板１０よりも低い位置で水平方向に延びる横框ｇ１や板体Ｇ２を介在させて、支持脚４１に対して断面略コ字状に形成された長尺状の固定具５１の一端では係止部５１ｃを係止する一方で、その他端ではボルト３１・ナット３２の締結によって取付けることにより、つまり、水平方向に延びる横框ｇ１や板体Ｇ２を支持脚４１と固定部５１との間で挟み込んで水平方向に直角な方向で閉じることにより、掲示板組立構造体１が横框ｇ１や板体Ｇ２に取付固定されることになる。
【００９６】
なお、本実施の形態においては、取付け時に支持脚４１側に面する固定具５１の内面に、横框ｇ１や板体Ｇ２との接触を緩和するゴム状の緩衝材５２が接着剤等によって取付られており、固定具５１による取付対象の水平方向に延びる横框ｇ１や板体Ｇ２への傷付きを防止している。
【００９７】
こうして、本実施の形態の掲示板組立構造体１は、ポスター貼着用の掲示板１０と、掲示板１０を設置場所に設置するための取付手段（II）としての、掲示板１０に固着された補強部２０に取付けられ地面に垂直に立設されて掲示板１０を所定の高さに支持する支持脚４１、及び断面略コ字状に形成され、コ字状の開口側先端の一端に支持脚４１の挿通孔４１ａに挿入可能、かつ、支持脚４１に係止可能にＴ字状に形成された係止部４１ｃを有し、支持脚４１の長手方向に沿って掲示板１０よりも低い位置で断面略コ字状の開口側の先端両端部が取付けられる固定具５１と、取付手段としての支持脚４１を掲示板１０に固定する固定手段３０としてのボルト３１・ナット３２と、掲示板１０のポスターが貼着される表側とは反対側の裏側に固着され、固定手段としてのボルト３１を摺動自在に保持する補強部２０とを具備する。
【００９８】
そして、掲示板１０の裏面に固着された補強部２０に支持脚４１をボルト３１・ナット３２によって取付け地面に立設させて掲示板１０を所定の高さに維持し、更に、掲示板１０より低い位置で支持脚４１に対し、取付対象となるガードレールやガードパイプ等の水平方向に延びる横框ｇ１や板体Ｇ２を介して（挟んで）、支持脚４１の長手方向に沿って固定部５１の長手方向の両端部を取付ることにより、詳細には、固定部５１の長手方向一端ではＴ字の係止部４１ａを支持脚４１の挿通孔４１ａに挿入して支持脚４１に係止させ、他端では挿通孔５１ｆを対応する支持脚４１の挿通孔４１ａに合わせてボルト３１・ナット３２による取付けを行うことにより、支持脚４１と固定部５１の間で取付対象の水平方向に延びる横框ｇ１や板体Ｇ２を挟み込んで、掲示板組立構造体１をガードレールやガードパイプ等横框ｇ１や板体Ｇ２に取付固定して設置する一形態を有する。
【００９９】
従来、取付手段（II）としての支持脚４１を番線等の結束で横框ｇ１に取付固定した場合では、作業者の裁量、力量によって結束が甘く番線が解けやすかったり、また、設置条件や悪戯等によっても番線が切れたりする恐れがあったが、本実施の形態では、上述の自立式でも使用した掲示板１０を所定の高さに支持する支持脚４１に対してその長手方向に沿って取付け可能で、支持脚４１との間で横框ｇ１や板体Ｇ２を挟み込み可能に凹状に形成した固定具５１によって、上述の番線の使用による問題点を解消し、作業者の裁量、力量を問わずに安定的に取付固定が可能である。特に、従来等の番線等の使用では取付けが不可能であったガードレールのような水平方向に延びる凹凸状の表裏面を有し、所定の縦幅（上下方向）に形成された板体Ｇ２に対しても固定具５１によって取付固定が可能となり、取付固定による設置可能な範囲が広がる。
【０１００】
そして、固定具５１の取付け作業も、固定部５１の長手方向の一端ではＴ字の係止部４１ａを支持脚４１の挿通孔４１ａに挿入するのみで支持脚４１に係止され、他端では挿通孔５１ｆを対応する支持脚４１の挿通孔４１ａに合わせてそこにボルト３１を挿入し、必要に応じてスパナ等を用いて、ナット３２締めを行うのみで作業者の裁量、力量を問わず容易に安定的に取付けることが可能である。また、取外しも必要に応じてスパナ等が用いられるが、ボルト３１・ナット３２の取外作業のみで、容易に取外し可能である。なお、径止部５１と支持脚４１の係合を解いて支持脚４１の挿通孔４１ａから係止部５１を取外す（抜く）場合は、上述した取付け時とは逆の手順で行われる。番線等の取外しのように鋏によるカット等も不要であり、それらを用いた悪戯での取外しも防止される。勿論、固定具５１が支持脚４１と別体であることで、持ち運び、運搬も容易で、保管スペースも小さくて済み、支持脚４１に対して係止やボルト３１・ナット３２により取付け、取外しを行うものであるから、繰返しの使用が可能である。
【０１０１】
特に、固定部５１はその一端が支持脚４１の挿通孔４１ａに挿入可能、かつ、支持脚４１に係止可能に略Ｔ字状に形成されていることで、その一端ではボルト３１・ナット３２に頼ることなく支持脚４１に固定可能であることから、部品数が少なくて済み、その分、保管の管理も容易であり、かつ、取付作業も容易である。しかし、本発明を実施する場合には、固定部５１の長手方向の両端部を支持脚４１の長手方向に沿って取付け可能であれば、固定部５１の長手方向の両端部でボルト３１・ナット３２を使用した取付けであってもよいし、その他、例えば、固定部５１の長手方向の一端または両端部をフック状に形成して支持脚４１の挿通孔４１ａに係止する係合手段や、固定部５１の材質を弾性体として弾性係合により取付けてもよい。
【０１０２】
なお、図６乃至図１０においては、支持脚４１の挿通孔４１ａが全て同一形状であるから、固定部５１のＴ字の係止部５１ｃを上側にして、掲示板１０に近い方で支持脚４１に係合させているが、固定部５１のＴ字の係止部５１を下側とする向きで取付けることも可能である。即ち、支持脚４１への取付けにおいて固定部５１の長手方向に方向性を持たせず、作業者の組立作業を分かりやすくしている。
また、掲示板１０を所定の高さに支持する支持脚４１の立設位置は、取付対象の水平方向に延びる横框ｇ１や板体Ｇ２の表裏面を問わず、また、設置場所の条件等によっては、支持脚４１のＬ字の内角側で固定具５１を取付けることも可能である。
【０１０３】
ここで、本実施の形態では、上記自立式で設置する形態のときと同一部品の支持脚４１を使用して、自立式で使用する支持脚４１と、取付対象としての水平方向に延びる横框ｇ１や板体Ｇ２に取付固定して設置する形態で使用する支持脚４１とを同一部品で兼用するから、その製造が低コストで済み、経済的で安価な提供を可能とし、また、部品の区別をなくしていることで、作業者の組立作業を分かりやすくしている。しかし、本発明を実施する場合には、上記自立式で設置する形態のときと、水平方向に延びる横框ｇ１や板体Ｇ２に取付固定して設置する形態のときとで、使用する支持脚４１の部品の構成を相違させてもよい。例えば、掲示板組立構造体１を取付対象の水平方向に延びる横框ｇ１や板体Ｇ２に取付固定して設置する形態では、使用する支持脚４１が帯状体を交差させたＬ字状とすることなく、一片の帯状体や断面コ字状として構成してもよい。
【０１０４】
更に、掲示板組立構造体１を取付対象としての水平方向に延びる横框ｇ１や板体Ｇ２に取付固定して設置する形態でも、上記自立式で設置する形態のときと同様に第１補強脚４２を支持脚４１に取付けてもよい。
【０１０５】
また、上記実施の形態では、支持脚４１を掲示板１０に取付ける固定手段３０としてボルト３１・ナット３２を採用し、また、固定具５１の一端の支持脚４１への取付においても固定手段としてのボルト３１・ナット３２と同一部品を使用することにより、低コストで提供できる。
【０１０６】
特に、ボルト３１・ナット３２によって支持脚４１を掲示板１０に取付け、また、固定具５１の一端を支持脚４１に係止させ、他端をボルト３１・ナット３２で支持脚４１に固定して取付けを行う形態では、掲示板組立構造体１を構成する支持脚４１、固定具５１の構成部品を分離して格納できるから、掲示板組立構造体１の保管スペースも小さくて済む。また、構成部品を分離できることで持ち運び、運搬も容易である。
更に、掲示板組立構造体１の組み立ての際には、スパナ等の締付具等の持ち運びが容易な道具のみの使用で、補強部２０が固着された掲示板１０に対してボルト３１・ナット３２による支持脚４１の組み付けと、支持脚４１に対する固定具５１の取付けを行うだけであるから、作業者の熟練を要することなく、設置作業を短時間で簡単にできる。特に、固定部５１の一端が支持脚４１の挿通孔４１ａに挿入可能、かつ、支持脚４１に係止可能に形成されたＴ字状の係止部４１ｃを有することで、その一端ではボルト３１・ナット３２による締結作業を必要とすることなく、支持脚４１に簡単な操作で取付けることができる。故に、設置業者の経費も少なくて済む。また、解体の取外し作業も短時間で簡単に撤去できる。特に、選挙掲示板としての用途においては、選挙が決まった段階で選挙告示から短期間で所定の選挙区内の設置位置に配置される必要があるため、容易な組み立てが有利である。
【０１０７】
しかし、本発明を実施する場合は、掲示板１０への支持脚４１の取付けや、支持脚４１への固定具５１の取付けにおいては、それぞれ異なる寸法形状のボルト３１・ナット３２を使用することもできるし、強固に取付固定が可能であればボルト３１・ナット３２以外の部品や係合手段を使用することも可能である。また、支持脚４１への固定具５１の長手方向の両端部の取付けにおいて、両端部でボルト３１・ナット３２による取付けを行っても良い。なお、ボルト３１・ナット３２による取付けの場合、適宜、ワッシャ、スプリングワッシャを使用しても良い。
【０１０８】
次に、本実施の形態の掲示板組立構造体１について、塀・壁やフェンス等に取付けることにより固定して設置する形態を、図１２乃至図２１を参照して、説明する。
【０１０９】
本実施の形態の掲示板組立構造体１においては、掲示板１０を設置場所に設置するための別の取付手段（III）として、掲示板１０に固着された補強部２０に取付けられ長手方向の一端部がフック状に形成されたフック部材６０を有し、上記のガードレールやガードパイプのように固定具５１で取付対象を挟み込むことが困難または挟み込みによる損傷を招く恐れのある形状、例えば、ブロックやレンガ等の塀・壁や、細い線材等による金網状、若しくは、縦または横の柵状に形成されたフェンスに対しても、フック部材６０の断面略コ字状または断面Ｕ字状に形成されたフック部６３を引っ掛けることによる取付固定を可能とする。
【０１１０】
即ち、図１５乃至図１７に示すように、ブロックやレンガ等が積層された厚い塀・壁Ｇ３や、図１８乃至図２１に示すように、線材等によって金網状に形成されて厚みが薄いフェンスＧ４等に掲示板組立構造体１を取付けて設置する形態では、掲示板１０を設置場所に設置する取付手段（III）として、掲示板１０に固着された補強部２０に取付けられ長手方向の一端部が断面略コ字状または断面Ｕ字状のフック状に屈曲または湾曲されたフック部材６０によって、取付対象としての塀・壁Ｇ３やフェンスＧ４等の厚みに引っ掛けることで、掲示板組立構造体１を取付対象に固定する。
【０１１１】
フック部材６０は、図１４に示したように、長尺状のステンレス、アルミニウム、鉄等の金属板６１と、防水や金属板６１による取付対象への傷付き防止のために金属板６１を被覆する樹脂製ビニールの被覆材６２とから構成されており、長手方向の一端をフック状に屈曲または湾曲させてフック部６３を形成している。
【０１１２】
フック部材６０の形成は、例えば、両端が開口して平筒状に形成され被覆材６２の内部の空洞部分に真っ直ぐな平板状の金属板６１を挿入し、被覆材６３及び金属板６１を共に一端をフック状に湾曲または屈曲させることにより形成することもできるし、一端をフック状に湾曲または屈曲させた金属板６１に対して、シート状の被覆材６２を包むようにして形成することも可能である。
【０１１３】
フック部６３の形状は、取付対象の厚みや断面形状に応じて、例えば、図１５乃至図１７に示すように２箇所に角を有する断面コ字状の屈曲形状や、図１８乃至図２１に示すように断面Ｕ字状に湾曲させた曲線状等が採用される。図１５乃至図１７に示した厚みが厚く上端部の断面が角形状のブロックやレンガ等の塀・壁Ｇ３に対しては、コ字状の２角を有しコ字の対向辺の距離長さが長いフック部６３の採用により、厚みのあるブロック塀・壁Ｇ３の断面形状に対応した安定した係合が可能であり、図１８乃至図２１に示した網状等の厚みが薄く上端部の断面が略曲線状のフェンスＧ４では、Ｕ字状に湾曲してＵ字の対向辺の距離長さが短いフック部６３の採用により、安定した係合が可能である。このように、フック部材６０のフック部６３について、そのフック形状として断面コ字状また断面Ｕ字状等の形状が相違するものや、コ字またはＵ字の対向辺の距離長さが相違するもの等、２種以上を用意することで、引っ掛けによる係合が可能な厚みの選択幅が広くなり、取付対象の自由度が高くなる。なお、フック部材６０の形状も板状に限定されず、棒状、パイプ状であっても良い。また、フック部材６０は、取付対象へ引っ掛け部位の厚みや形状に対応して安定した引っ掛け及び容易な取外しできるよう、フック部６３の形状を手動で変位可能な程度に柔軟性を有する素材の使用が望ましい。
【０１１４】
また、図１４で示すように、フック部材６０の芯となる金属板６１の直線状の水平部分６１ｂには、掲示板１０の裏側に固着された補強部２０に取付けられるための固定手段としてのボルト３１の軸部３１ｂが挿通される円形状の挿通孔６１ａが設けられている。
この挿通孔６１ａは、掲示板１０の裏側に固着された複数の補強部２０の配置間隔に一致させ、直線状の水平部分６１ｂの長手方向に沿って複数（図では２箇所）設けられている。但し、挿通孔６１ａの数は、それに限定されず、１つであっても良いし、重量バランスに応じて、３以上設けて掲示板１０の裏側に固着された補強部２０の数に対応させてもよい。また、図では、隣接する補強部２０の配置間隔となっているが、その間隔を任意に選択した複数の補強部２０同士の間隔に設定することも可能である。更に、図においては、２つのフック部材６０を左右で並行配置させているが、掲示板の大きさ、種類、重量等によって、１つであっても良いし、３つ以上のフック部材６０を設けることも可能である。
【０１１５】
また、金属板６１を被覆する被覆材６２には、金属板６１の挿通孔６１ａに対応する箇所においてその表裏の面が切断または切込みによって開口されている。切断によって被覆材６２の一部を取り除いてもよいし、切込みを入れて開くようにしてもよい、何れにせよ、ボルト３１とナット３２の締結が可能に開口されていればよい。
【０１１６】
図１３及び図１４では、被覆材６２において、補強部２０に面して配置させる側では、切断によって被覆材６２の一部を取り除いて開口６２ａを形成し、その反対側では、略コ字状に切込みを入れて開くことで、広い開口６２ｂを形成している。このように切込みによって開いて広い開口６２ｂを形成することで、被覆材６２の開口６２ａ及び金属板６１の挿通孔６１ａに挿通されたボルト３１の軸部３１ｂに対して金属板６１に当接するようにナット３２が装着され（必要に応じてワッシャ、スプリングワッシャが使用される場合にはワッシャ、スプリングワッシャが当接することになる）、そして、切込により開いた扉部分６２ｃが締結を行ったボルト３１・ナット３２に対する蓋となるのでボルト３１・ナット３２が露わにならず、組み付け状態でのボルト３１・ナット３２による取付対象への傷付き・損傷や人が触れるのを防止して安全性を高めている。また、蓋となる扉部分６２ｃがボルト３１・ナット３２への防水機能を果たす。
なお、図１２乃至図２１においては、構成を分かりや易くするため、一部、扉部分６２ｃがボルト３１・ナット３２を覆っていない状態（扉部分６２ｃが開いた状態）で示されているが、通常の組付状態では、扉部分６２ｃがボルト３１・ナット３２を覆った状態（扉部分６２ｃで蓋をする状態）での使用が好ましい。
【０１１７】
このように形成されたフック部材６０の補強部２０への取付けは、図１３で示すように、上述の支持脚４１の補強部２０への取付形態と同様に、まず、フック部材６０の長手方向を補強部２０の水平方向（左右の横方向）に対して直角方向に配置し、また、フック部材６０のフック側とは反対面側を補強部２０側に対向させて配置し、補強部２０に保持させたボルト３１の軸部３１ｂを、フック部材６０の水平部分に形成された被覆材６２の開口６２ａ及び金属板６１の挿通孔６１ａに挿通し、被覆材６２の開口６２ｂから通過させたナット３２による締結によって行われる。
【０１１８】
そして、このように補強部２０の水平方向（左右の横方向）に対してフック部材６０をその長手方向を直交させて取付けた掲示板組立構造体１は、図１５乃至図１７に示すように、フック部材６０の一端が断面コ字状に形成されたフック部６３では、塀・壁Ｇ３の上端部の厚みへの安定した引っ掛けを可能とし、また、図１８乃至図２１に示すように、フック部材６０の一端が断面Ｕ字状に形成されたフック部６３では、フェンスＧ４の上端部の厚みへの安定した引っ掛けを可能として、塀・壁Ｇ３やフェンスＧ４の取付固定ができる。
【０１１９】
フック部材６０の補強部２０への取付位置は、取付対象の塀・壁Ｇ３やフェンスＧ４の高さや外観性等を考慮して、図１５及び図１６や、図１８及び図２９に示すように、複数の補強部２０のうち掲示板１０の中間部及び下部に固着した補強部２０に対して固定手段のボルト３１・ナット３２によりフック部材６０の取付けを行い、フック部材６０の断面コ字状またはＵ字状のフック部６３を取付対象の塀・壁Ｇ３やフェンスＧ４の上端部の厚みに掛けて、取付対象の塀・壁Ｇ３やフェンスＧ４の高さよりも掲示板１０の上端が高い位置となる形態で取付けてもよいし、図１７や、図２０及び図２１に示すように、掲示板１０の上部及び中間部に固着した補強部２０に対してフック部材６０の取付けを行うことで、取付対象の塀・壁Ｇ３やフェンスＧ４の高さ以下に掲示板１０の上端が位置する形態で取付けてもよい。
【０１２０】
こうして、本実施の形態の掲示板組立構造体１は、ポスター貼着用の掲示板１０と、掲示板１０を設置場所に設置するための取付手段として、掲示板１０に固着された補強部２０に取付けられ、一端が取付対象に応じて選択される断面Ｕ字状または断面コ字状のフック状に形成されたフック部材６０と、取付手段としてのフック部材６０を掲示板１０に取付けるための固定手段としてのボルト３１・ナット３２と、掲示板１０のポスターが貼着される表側とは反対側の裏側に固着され、固定手段としてのボルト３１・ナット３２を摺動自在に保持する補強部２０を具備する。そして、掲示板１０の裏側に固着された補強部２０にフック部材６０をボルト３１・ナット３２によって取付け、取付対象としての塀・壁Ｇ３やフェンスＧ４の上端部の厚みにフック部材６０の断面Ｕ字状または断面コ字状のフック部６３を引っ掛けることにより、掲示板組立構造体１を塀・壁Ｇ３やフェンスＧ４等に取付固定して設置する一形態を有する。
【０１２１】
特に、本実施の形態においては、上述したように、掲示板１０の裏側に固着された補強部２０の収容溝２３及び突条部２２が水平方向（左右の横方向）に連続して延びるレール状をなし、フック部材６０を掲示板１０に取付けるための固定手段としてのボルト３１を摺動自在として任意の位置で保持可能であり、更に、補強部２０が並行して複数列形成されていることから、フック部材６０の補強部２０への取付位置の選択幅が広く、設置条件、外観性、重量バランスによって取付け位置を選択的に設定でき、安定した取付固定が可能となる。
【０１２２】
なお、本実施の形態においては、より固定の安定化を図るために、必要に応じて、フック部材６０が取付けられた位置とは異なる位置で補強部２０にボルト３１を保持させ、或いは、フック部材６０の取付けに使用しているボルト３１において、その軸部３１ｂとフェンスＧ４等の柵とを番線等で結束することも可能である。
【０１２３】
また、上述したように、フック部６３のフック形状、例えば、断面が略Ｕ字状や、略コ字状や、カタカナの「レ」字状等の屈曲、湾曲形状が相違したり、略コ字、略Ｕ字、略レ字の対向辺の距離長さが相違したりする部材を複数種類用意することで、取付対象の厚みや形状に応じた安定した取付固定を可能とするが、その他、例えば、フック部６３の取付対象に接触させる部位にクッション性を有する緩衝材を取付けることによって、取付対象による寸法形状の相違の差に対応することもでき、また、取付対象への密着性を向上させて、安定性を増した取付固定を可能とする。更には取付対象への傷付き防止にも有効に機能させることができる。
【０１２４】
以上説明してきたように、本実施の形態の掲示板組立構造体１は、所定の面積を有する掲示板１０と、掲示板１０を設置場所に設置するための、例えば、支持脚４１等からなる取付手段と、その取付手段を掲示板１０に取付けるための固定手段としてのボルト３１・ナット３２と、掲示板１０の掲示側とは反対側の裏側に固着され、固定手段としてのボルト３１を着脱自在に保持可能な補強部２０とを具備する掲示板組立体１であって、取付手段（Ｉ）として、掲示板１０に補強部２０を介して取付けられ掲示板１０を所定の高さに支持する支持脚４１と支持脚４１に対して斜めに取付けられ支持脚４１を支える傾斜脚４２との組み合わせ、または（II）掲示板１０に補強部２０を介して取付けられ掲示板１０を所定の高さに支持する支持脚４１と掲示板１０より低い位置で支持脚４１の長手方向に沿って、断面凹状に形成されて凹の開口両端部側が取付けられる固定具５１との組み合わせ、または（III）掲示板１０に補強部２０を介して取付けられ長手方向の一端がフック状に形成されたフック部材６１の３種類の形態を有し、取付手段としての支持脚４１及び傾斜脚４２の採用により、支持脚４１及び傾斜脚４２を地面に立設して掲示板組立体１０を自立させる形態、または取付手段としての支持脚４１及び固定具５１の採用により、支持脚４１を地面に立設し、また、支持脚４１と固定具５１の間で取付対象としてのガードパイプの水平方向に延びる横框ｇ１やガードレールの水平方向に延びる板体Ｇ２等を挟み込むことにより掲示板組立体１をガードパイプの水平方向に延びる横框ｇ１やガードレールの水平方向に延びる板体Ｇ２等の取付対象に取付ける形態、または取付手段としてのフック部材６１の採用により、フック状のフック部材６１を取付対象としてのブロックやレンガ等の塀・壁Ｇ３や金網状等のフェンスＧ４等の上端部の厚みに引っ掛けることにより掲示板組立体１を塀・壁Ｇ３やフェンスＧ４等の取付対象に取付ける形態の何れかの形態で設置されるものである。
【０１２５】
このように、本実施の形態の掲示板組立構造体１によれば、掲示板１０を設置場所に設置するための取付手段（Ｉ）として、掲示板１０に取付けられて掲示板１０を所定の高さに支持する支持脚４１と支持脚４１に対して斜めに取付られて支持脚４１を支える傾斜脚４２との組み合わせ、または（II）として掲示板１０に取付けられて掲示板１０を所定の高さに支持する支持脚４１と断面凹状に形成されて凹の開口両端部側が掲示板１０より低い位置で支持脚４１の長手方向に沿って取付けられる固定具５１との組み合わせ、または（III）として掲示板１０に取付けられ長手方向の一端がフック状に形成されたフック部材６１の３種類の形態を有する。
【０１２６】
よって、第一の取付手段（Ｉ）として支持脚４１と傾斜脚４２の組み合わせの採用により、掲示板１０に固着された補強部２０に保持された固定手段としてのボルト３１及びそれに対応するナット３２によって掲示板１０に支持脚４１を取付け地面に垂直に立設させて掲示板１０を所定の高さに支持し、また、支持脚４１に対して傾斜脚４２を斜めに取付けて地面に斜めに立設して支持脚４１を支え、支持脚４１や傾斜脚４２の下端部を直接または間接的に補強脚４２，４４を介して地中に埋めて固定することにより、掲示板組立体１０を自立させる形態で設置される。
【０１２７】
殊に、本実施の形態においては、地面に立設させる補助脚４２が支持脚４１の下部に取付けられ、また、同じく地面に立設させる補助脚４４が傾斜脚４２に対しても取付けられていることで、強度が補完され、また、荷重分布が分散されて、掲示板組立構造体１の自立の安定性を増大させ、更に、支持脚４１及び傾斜脚４２の繰り返しの使用や地中への打ち込みによる変形、破損等が防止されて長持ちさせることができる。
【０１２８】
また、第二の取付手段（II）として支持脚４１と固定具５１の組み合わせの採用により、掲示板１０に固着された補強部２０に保持された固定手段としてのボルト３１及びそれに対応するナット３２によって掲示板１０に支持脚４１を取付け地面に垂直に立設させて掲示板１０を所定の高さに支持し、また、支持脚４１に対して、取付対象としてのガードパイプ等の水平方向に延びる横框ｇ１やガードレール等の板体Ｇ２等を介在させて、断面凹状に形成された凹の開口両端部を支持脚４１の長手方向に沿って取付け、支持脚４１と固定部５１の間で取付対象としての水平方向に延びる横框ｇ１や板体Ｇ２を挟みこむことにより、掲示板組立体１０をガードパイプ等の水平方向に延びる横框ｇ１やガードレール等の板体Ｇ２に取付ける形態で設置される。
【０１２９】
更に、第三の取付手段（III）としてフック部材６０の採用により、掲示板１０に固着された補強部２０に保持された固定手段としてのボルト３１及びそれに対応するナット３２によって掲示板１０にフック部材６０を取付け、そして、フック部材６０の一端のフック状のフック部６３を取付対象としての塀・壁Ｇ３やフェンスＧ４の上端部の厚みに引っ掛けることで、掲示板組立体１０を塀・壁Ｇ３やフェンスＧ４に取付ける形態で設置される。
【０１３０】
特に、フック部材６０のフック部６３について、断面コ字状や断面Ｕ字状等のフック形状が相違したり、フック部６３のコ字またはＵ字等の対向辺の距離長さが相違したりする２種以上を用意することで、引っ掛け可能な取付対象の範囲が広くなり、設置自由度が高くなる。
【０１３１】
こうして、本実施の形態の掲示板組立構造体１によれば、地面に自立させる形態及び塀・壁Ｇ３やフェンスＧ４に引っ掛ける形態での取付けのみならず、図６乃至図８に示したガードパイプ等の水平方向に延びるパイプ状の横框ｇ１が垂直方向に所定間隔で配置してガード面が形成されるパイプ柵Ｇ１や、図９及び図１０に示したガードレール等の水平方向に延びる凹凸状の表裏面を有し、所定の縦幅（上下方向）に形成された板体Ｇ２に対しても、掲示板１０を所定の高さに支持する支持脚４１と断面凹状に形成されてその開口両端部が支持脚４１の長手方向に沿って取付けられる固定具５１との間で水平方向に延びる横框ｇ１や板体Ｇ２を挟み込むことによって、安定的に取付け固定することができる。
特に、パイプ柵Ｇ１に対して従来の番線等を使用した取付けは、設置作業者の裁量、力量によって番線が解けやすかったり、鋏等で切断されたりする恐れがあって不安定な固定であり、また、掲示板１０の大きさ、重量等によっては固定が不可能なこともあったが、本実施の形態においては、支持脚４１と固定具５１の間で横框ｇ１や板体Ｇ２の上下方向を挟み込むことから、掲示板１０の大きさ、重量等や作業者の裁量、力量を問わず、安定した取付固定が可能である。また、ガードレール等の水平方向に延びる凹凸状の表裏面を有し、所定の縦幅に形成された板体Ｇ２に対して従来は取付けができなかったが、本実施の形態においては、このような板体Ｇ２においてもその上下方向を支持脚４１と固定具５１の間で挟み込むことで取付固定を可能とする。
よって、設置自由度が高く、広範囲な設置場所、取付対象に対して安定した取付固定が可能である。
【０１３２】
また、取付手段（Ｉ）を掲示板１０に取付けるための固定手段としてのボルト３１・ナット３２のうちのボルト３１が、掲示板１０の掲示側とは反対側の裏側に固着された補強部２０に保持可能であることから、掲示板１０を傷付けることなく取付手段（Ｉ）を掲示板１０に取付けることができ、掲示板１０を長持ちさせて再使用を可能とする。また、その他部品同士の接合、具体的には、支持脚４１への傾斜脚４２や補助脚４３の取付け、傾斜脚への補助脚４４の取付け、支持脚４１への固定具５１の一端の取付けもボルト３１・ナット３２が使用されることで、作業者の裁量、力量を問わず組立て及び組外しが容易にでき、釘等が使用されないことで、作業時や設置後に怪我をさせることのない安全性を確保できる。
【０１３３】
特に、掲示板１０において、アルミニウム板からなる基材に対して粘着剤を介して貼着されたフィルム１０ｄを引き剥がすＪＩＳ−Ｚ−０２３７に準拠して測定した１８０℃引き剥がし試験における剥離強度が１００〜１４０ｇ／２５ｍｍの範囲内であれば、適度な接着性を有して雨等の水分や紫外線、熱等に曝される条件下でも、所定期間ではフィルム１０ｄの浮きや剥離が生じることのない一方で、使用後は道具や水分等を使用することなく手動で剥がすのが容易であり、アルミニウム板の品質を維持して再使用を可能とする。
よって、地球環境保全や環境保護を図ることもできる。また、選挙用ポスターを掲示板１０に貼付けた場合においても、使用後に各ポスターをそれぞれ１枚ずつ剥がさなくとも、ポスターが貼付けられているフィルム１０ｄを剥がすのみでポスターを撤去できることから、撤去作業も容易となる。
【０１３４】
更に、本実施の形態では、掲示板１０に支持脚４１を取付ける固定手段としてのボルト３１・ナット３２と、掲示板１０にフック部材６０を取付ける固定手段３０としてのボルト３１・ナット３２と、更にそれ以外での部品同士の取付け、詳細には、自立式形態での支持脚４１への傾斜脚４２及び補強脚４３の取付けや、傾斜脚４２への補強脚４３の取付けや、水平方向へ延びる横框ｇ１や板体Ｇ２への取付形態での支持脚４１への固定具５１の取付において、全て共通して同一部品の使用が可能であり、低コスト化を図ることができる。また、全て共通してボルト３１・ナット３２による取付けであることで、部品の管理や組み付け作業も分かり易く、短時間で設置及び撤去作業を行うことができる。
【０１３５】
なお、本発明を実施する場合には、掲示板１０の材質や構成は、上記に限定されるものでなく、例えば、基材１０ａをステンレス等の金属や、ＰＥＴ樹脂、合成樹脂、合板、段ボール古紙、集成材、パーティクルボード、ＰＥＴボトル再生板、発泡プラスチック製、鋸くず、再生プラスチック等で形成してもよい。補強部２０においても、ステンレス等の金属や、樹脂製とすることも可能である。また、粘着剤の材質も、ポリエチレン系、ポリプロピレン系、エポキシ系、ウレタン系、天然ゴム、ラテックス等のゴム系等であってもよく、フィルムの材質も、アクリル系、ポリプロピレン系等であってもよい。更に、基材に対してアクリル系、ポリエチレン系、ポリプロピレン系樹脂等の塗料を使用した表面処理（塗装、焼付け等）、スクリーン印刷により表層を形成してもよい。また、基材の内部を波形状、凹凸状、ハニカム状に形成した板で中空層を形成することも可能である。
【０１３６】
上記実施の形態では、選挙用ポスターを掲示する掲示板組立構造体１への適用例で説明したが、選挙以外のポスター、掲示物、看板等の掲示にも適用可能である。
【符号の説明】
【０１３７】
１      掲示板組立体
１０    掲示板
２０    補強部
３０    固定手段
３１    ボルト
３２    ナット
４１    支持脚（取付手段）
４１ａ、４１ｂ  挿通孔
４２    傾斜脚
５１    固定具
５１ｃ  係止部
６０    フック部材
６３    フック部
【要約】
【課題】設置自由度を高め、広範囲な設置場所、取付対象に対して安定した取付固定が可能であること。
【解決手段】掲示板１０を設置場所に設置するための取付手段として、掲示板１０に取付けられて掲示板１０を所定の高さに支持する支持脚４１と支持脚４１に対して斜めに取付られて支持脚４１を支える傾斜脚４２との組み合わせ、または掲示板１０に取付けられて掲示板１０を所定の高さに支持する支持脚４１と断面凹状に形成されて凹の開口両端部側が掲示板１０より低い位置で支持脚４１の長手方向に沿って取付けられる固定具５１との組み合わせ、または掲示板１０に取付けられ長手方向の一端がフック状に形成されたフック部材６１の３種類の形態を有する。
【選択図】図１【図１】
0006032776.tif 000002
【図２】
0006032776.tif 000003
【図３】
0006032776.tif 000004
【図４】
0006032776.tif 000005
【図５】
0006032776.tif 000006
【図６】
0006032776.tif 000007
【図７】
0006032776.tif 000008
【図８】
0006032776.tif 000009
【図９】
0006032776.tif 000010
【図１０】
0006032776.tif 000011
【図１１】
0006032776.tif 000012
【図１２】
0006032776.tif 000013
【図１３】
0006032776.tif 000014
【図１４】
0006032776.tif 000015
【図１５】
0006032776.tif 000016
【図１６】
0006032776.tif 000017
【図１７】
0006032776.tif 000018
【図１８】
0006032776.tif 000019
【図１９】
0006032776.tif 000020
【図２０】
0006032776.tif 000021
【図２１】
0006032776.tif 000022